【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
建物空間に進入する気流を処理するための乾燥剤空調システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が暖気運転モードで前記気流を除湿し、寒気運転モードで前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
前記コンディショナに接続された、前記コンディショナ内の前記乾燥剤コレクタから液体乾燥剤を受け取るためのリジェネレータであって、前記リジェネレータは、前記液体乾燥剤に暖気運転モードで水を脱着させ、寒気運転モードで水を吸収させる、リジェネレータと、
前記コンディショナを通って前記気流を移動するための装置と、
前記コンディショナおよび前記リジェネレータを通して前記液体乾燥剤を循環させるための装置と、
を備える乾燥剤空調システム。
【請求項２】
前記複数の構造体のそれぞれが、熱伝達流体が通って流れることができる通路を含み、前記暖気運転モードで前記熱伝達流体を冷却するための低熱源、および前記寒気運転モードで前記熱伝達流体を加熱するための熱源をさらに備える、請求項１に記載の乾燥剤空調システム。
【請求項３】
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項１に記載の乾燥剤空調システム。
【請求項４】
前記コンディショナ内の前記構造体を通って、または前記構造体の間を流れる前記気流で乱流を引き起こすための装置をさらに備える、請求項１に記載の乾燥剤空調システム。
【請求項５】
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記暖気運転モードで前記液体乾燥剤に水を脱着させ、前記寒気運転モードで前記液体吸収剤に水を吸収させ、各構造体が、前記構造体の下端に、前記構造体の前記少なくとも１つの表面を横切って流れた液体乾燥剤を収集するための乾燥剤コレクタをさらに含む、請求項１に記載の乾燥剤空調システム。
【請求項６】
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項５に記載の乾燥剤空調システム。
【請求項７】
前記コンディショナ内の前記構造体を出る前記熱伝達流体と、前記リジェネレータ内の前記構造体を出る前記熱伝達流体との間で熱を移送するためにヒートポンプをさらに備える、請求項５に記載の乾燥剤空調システム。
【請求項８】
前記建物空間に進入する前記気流が、前記コンディショナを通って一般に水平方向で流れ、前記建物空間からの還気流または外気が前記リジェネレータを通って一般に水平方向で流れる、請求項１に記載の乾燥剤空調システム。
【請求項９】
建物空間に進入する気流を処理するための方法であって、
実質的に垂直向きで配置された複数の構造体を含むコンディショナを提供するステップであって、各構造体が外面を含み、各構造体が前記入り組んだプレート構造体の下端に乾燥剤コレクタをさらに含む、提供するステップと、
各構造体の前記外面を横切って液体乾燥剤を流し、前記乾燥剤コレクタに液体乾燥剤を収集するステップと、
前記液体乾燥剤が暖気運転モードで前記気流を除湿するように、前記構造体の間を、または前記構造体を通って前記気流を流すステップと、
前記コンディショナで使用される前記熱伝達流体を冷却するための前記暖気運転モードで蒸発チラーとして働く空気処理装置で使用するための、前記コンディショナを出る前記除湿された気流の一部を迂回させるステップと、
前記コンディショナ内の前記乾燥剤コレクタから液体乾燥剤を受け取り、前記液体乾燥剤から水を吸収するステップと、
を含む方法。
【請求項１０】
前記建物空間からの還気を活用し、前記液体乾燥剤から水を吸収することをさらに含む、請求項９に記載の方法。
【請求項１１】
寒気運転モードで、前記方法は、前記気流を加湿するための前記液体乾燥剤、ならびに前記コンディショナで、および前記空気処理装置で前記液体乾燥剤を加熱するための熱伝達流体を活用することをさらに含む、請求項９に記載の方法。
【請求項１２】
前記構造体に進入する前記気流内で乱流を引き起こすことをさらに含む、請求項９に記載の方法。
【請求項１３】
前記蒸発チラーから冷却された熱伝達流体を移し、建物空間内の１つまたは複数の液体対空気熱交換器、顕熱空間冷却を提供することをさらに含む、請求項９に記載の方法。
【請求項１４】
水回収システムであって、
一般に密封されたエンクロージャと、
前記エンクロージャ内の第１の空気処理装置であって、前記第１の空気処理装置が液体乾燥剤から水蒸気を引き出し、前記水蒸気を、前記空気処理装置を通って流れる気流に移すように構成され、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
前記第１の空気処理装置と前記第２の空気処理装置との間で空気を循環させるための機構と、
を備える、水回収システム。
【請求項１５】
前記液体乾燥剤を加熱するための熱源をさらに備える、請求項１４に記載のシステム。
【請求項１６】
前記複数の構造体のそれぞれが、熱伝達流体が通って流れることができる通路を含み、前記熱伝達流体を加熱するための熱源をさらに備える、請求項１４に記載のシステム。
【請求項１７】
前記液体乾燥剤および前記熱伝達流体が、前記第１の空気処理装置内で一般に反対方向で流れる、請求項１６に記載のシステム。
【請求項１８】
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項１４に記載のシステム。
【請求項１９】
材料の前記シートが、膜または親水性材料を備える、請求項１８に記載のシステム。
【請求項２０】
材料の前記シートが、疎水性微細孔膜を備える、請求項１８に記載のシステム。
【請求項２１】
材料の前記シートが、疎水性材料の層および親水性材料の層を、前記疎水性材料と前記構造体の前記少なくとも１つの表面との間に備える、請求項１８に記載のシステム。
【請求項２２】
前記第１の空気処理装置内の前記構造体を通って、または前記構造体の間を流れる前記気流で乱流を引き起こすための装置をさらに備える、請求項１４に記載のシステム。
【請求項２３】
前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、請求項１４に記載のシステム。
【請求項２４】
前記構造体を冷却するための低熱源をさらに備える、請求項２３に記載のシステム。
【請求項２５】
前記第２の空気処理装置内の前記複数の構造体のそれぞれが、熱伝達流体が通って流れることができる通路を含み、前記熱伝達流体を冷却するための低熱源をさらに備える、請求項２３に記載の乾燥剤空調システム。
【請求項２６】
空気を循環させるための前記機構が、１つまたは複数のブロワを備える、請求項１４に記載のシステム。
【請求項２７】
前記エンクロージャ内部で空気圧を削減するための前記エンクロージャに接続された真空ポンプをさらに備える、請求項１４に記載のシステム。
【請求項２８】
液状水分を生成するための方法であって、
液体乾燥剤ソースから液体乾燥剤を提供することと、
一般に密封されたエンクロージャ内の第１の空気処理装置内で気流を加湿することであって、前記第１の空気処理装置が、実質的に垂直向きで配置される複数の構造体を含み、各構造体が、前記液体乾燥剤が横切って流れることができる少なくとも１つの表面を有し、前記方法が、前記構造体の間でまたは前記構造体を通して前記気流を流し、前記液体乾燥剤から引き出される水蒸気で前記気流を加湿することと、
前記第１の処理装置から、やはり一般に密封されたエンクロージャ内の第２の処理装置に前記気流を移すことと、
前記第２の空気処理装置で前記気流中の前記水蒸気の凝縮を引き起こし、前記エンクロージャの外部で移すことができる液状水分を生成することと、
を含む方法。
【手続補正２】
【補正対象書類名】明細書
【補正対象項目名】０１１２
【補正方法】変更
【補正の内容】
【０１１２】
このようにしていくつかの実施形態を説明してきたが、多様な改変形態、変形形態、および改善策が容易に統合者の頭に思い浮かぶだろうことが理解されるべきである。かかる改変形態、変形形態および改善策は、本開示の一部を形成することを目的とし、本開示の精神および範囲内にあることを目的とする。本明細書に提示された幾つかの例は、機能または構造上の要素の特定の組合せを含んでいるが、それらの機能および要素が、同じ目的または異なる目的を達成するために他の方法で組みわせられ得ることが理解されるべきである。特に、一実施形態に関連して説明される行為、要素、および特長は、他の実施形態の類似する役割または他の役割から排除されることは意図されていない。さらに、本明細書に説明された要素および構成要素は、追加構成要素にさらに分割されてよい、または同じ機能を実行するためのより少ない構成要素を形成するためにともに結合されてよい。したがって、前記説明および添付図面は、ほんの一例としてであり、制限的であることを目的としていない。なお、本願について特許法１８４条の４第１項の規定に基づいて提出した国際出願翻訳文提出書に記載されていた出願当初の請求項と同一の記載を以下に付記する。
＜付記１＞
建物空間に進入する気流を冷却するための乾燥剤空調システムであって、
実質的に垂直向きで配置される複数の構造体を含むコンディショナであって、各構造体は、液体乾燥剤が横切って流れることが可能な少なくとも１つの表面を有し、前記気流は、前記液体乾燥剤が前記気流を除湿するように前記構造体を通って流れ、または前記構造体の間を流れ、各構造体が、前記少なくとも１つの表面の下端に、乾燥剤コレクタをさらに含み、前記乾燥剤コレクタは、前記構造体の前記少なくとも１つの表面を横切って流れた液体乾燥剤を収集するためのものである、コンディショナと、
前記コンディショナ内の前記乾燥剤コレクタから液体乾燥剤を受け取るためのリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通って流れ、または前記構造体の間を流れ、前記液体乾燥剤に水を脱着させ、各構造体は、前記構造体の下端に、乾燥剤コレクタをさらに含み、乾燥剤コレクタは、前記構造体の前記少なくとも１つの表面を横切って流れた液体乾燥剤を収集するためのものであり、前記リジェネレータは、前記リジェネレータ内の前記液体乾燥剤を加熱するために使用される熱伝達流体を加熱するための太陽光―熱（ＰＶＴ）モジュールをさらに備える、リジェネレータと、
前記コンディショナと前記リジェネレータとの間で接続され、前記リジェネレータから前記コンディショナに流れる前記液体乾燥剤から、前記コンディショナから前記リジェネレータに流れる前記液体乾燥剤に熱を伝達するための熱交換器と、
前記コンディショナと前記リジェネレータとの間で前記液体乾燥剤を循環させるための装置と、
を備える乾燥剤空調システム。
＜付記２＞
前記コンディショナで使用される前記液体乾燥剤を冷却するための低熱源をさらに備える、付記１に記載の乾燥剤空調システム。
＜付記３＞
前記リジェネレータおよび前記コンディショナ内の前記複数の構造体のそれぞれが、熱伝達流体が通って流れることができる通路を含み、前記コンディショナが、前記コンディショナ内の前記熱伝達流体を冷却するための低熱源をさらに備える、付記１に記載の乾燥剤空調システム。
＜付記４＞
前記液体乾燥剤および前記熱伝達流体が、前記コンディショナおよび前記リジェネレータ内の一般に反対の方向で流れる、付記３に記載の乾燥剤空調システム。
＜付記５＞
前記コンディショナから前記リジェネレータに流れる前記液体乾燥剤をさらに加熱するためのＰＶＴモジュールをさらに備える、付記１に記載の乾燥剤空調システム。
＜付記６＞
前記リジェネレータから前記コンディショナに流れる前記液体乾燥剤をさらに冷却するための低熱源をさらに備える、付記１に記載の乾燥剤空調システム。
＜付記７＞
前記コンディショナから前記リジェネレータに流れる前記液体乾燥剤をさらに加熱するため、および前記リジェネレータから前記コンディショナに流れる前記液体乾燥剤をさらに冷却するためのヒートポンプをさらに備える、付記１に記載の乾燥剤空調システム。
＜付記８＞
前記コンディショナで使用される前記液体乾燥剤の実質的にすべてが、前記熱交換器を通して前記リジェネレータに移される、付記１に記載の乾燥剤空調システム。
＜付記９＞
前記コンディショナで使用される前記液体乾燥剤の一部が、前記熱交換器を通して前記リジェネレータに移され、前記液体乾燥剤の前記残りが、前記熱源によって冷却され、前記コンディショナに戻される、付記１に記載の乾燥剤空調システム。
＜付記１０＞
前記構造体が、前記温度勾配に一般的に平行である方向で自由に膨張または収縮し、前記構造体に対する熱誘導応力を緩和できるように、前記複数の構造体が、前記コンディショナおよびリ前記ジェネレータ内に確保される、付記１に記載の乾燥剤空調システム。
＜付記１１＞
前記液体乾燥剤と前記気流との間で、前記コンディショナおよび前記リジェネレータ内の各構造体の前記外面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１に記載の乾燥剤空調システム。
＜付記１２＞
前記液体乾燥剤の前記表面張力および材料の前記シートの特性が、前記液体乾燥剤の乾燥剤コレクタへの移送を容易にする、付記１１に記載の乾燥剤空調システム。
＜付記１３＞
各構造体で、材料の前記シートの下縁が、液体乾燥剤の圧力上昇を削減するために、前記構造体の下位部に固定して接続されていない、付記１１に記載の乾燥剤空調システム。
＜付記１４＞
材料の前記シートが、膜または親水性材料を備える、付記１１に記載の乾燥剤空調システム。
＜付記１５＞
材料の前記シートが、疎水性微細孔膜を備える、付記１１に記載の乾燥剤空調システム。
＜付記１６＞
材料の前記シートが、疎水性材料の層および親水性材料の層を、前記疎水性材料と前記構造体の前記少なくとも１つの表面との間に備える、付記１１に記載のシステム。
＜付記１７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記１１に記載の乾燥剤空調システム。
＜付記１８＞
各構造体が、熱伝達流体が、前記熱伝達流体と前記液体乾燥剤または前記気流との間で熱の伝達のために流れることができる内部通路を含む、付記１７に記載の乾燥剤空調システム。
＜付記１９＞
各構造体の材料の前記シートに１つまたは複数の通気孔をさらに備え、液体乾燥剤が、材料の前記シートと前記構造体との間で自由に流れ、真空封止を抑制できるようにする、付記１１に記載の乾燥剤空調システム。
＜付記２０＞
前記複数の構造体が、実質的に垂直向きで配置され、離間される複数のプレートアセンブリを備え、隣接するプレートアセンブリ間での前記気流の流れを可能にする、付記１に記載の乾燥剤空調システム。
＜付記２１＞
各プレートアセンブリが、入り組んだプレートを含む、付記２０に記載の乾燥剤空調システム。
＜付記２２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１に記載の乾燥剤空調システム。
＜付記２３＞
前記構造体に進入する前記気流内で乱流を引き起こすための装置をさらに備える、付記１に記載の乾燥剤空調システム。
＜付記２４＞
前記建物空間に進入する前記気流が、前記コンディショナを通って一般に水平方向で流れ、前記建物空間からの還気流または外気が前記リジェネレータを通って一般に水平方向で流れる、付記１に記載の乾燥剤空調システム。
＜付記２５＞
前記建物空間に進入する前記気流が、前記コンディショナを通って一般に垂直方向で流れ、前記建物空間からの還気流または外気が前記リジェネレータを通って一般に垂直方向で流れる、付記１に記載の乾燥剤空調システム。
＜付記２６＞
各構造体が、熱伝導性プラスチック材料を備える、付記１に記載の乾燥剤空調システム。
＜付記２７＞
前記リジェネレータおよび前記コンディショナが物理的に分離され、分割空調システムを形成する、付記１に記載の乾燥剤空調システム。
＜付記２８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１に記載の乾燥剤空調システム。
＜付記２９＞
建物空間に進入する気流を加熱するための乾燥剤空調システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って流れ、または前記構造体の間を流れ、各構造体が、前記少なくとも１つの表面の下端に、乾燥剤コレクタをさらに含み、前記乾燥剤コレクタは、前記構造体の前記少なくとも１つの表面を横切って流れた液体乾燥剤を収集するためのものであり、前記コンディショナが前記液体乾燥剤を加熱するために使用される熱伝達流体を加熱するための太陽光―熱（ＰＶＴ）モジュールをさらに備える、コンディショナと、
前記コンディショナから液体乾燥剤を受け取り、前記液体乾燥剤を加湿し、前記コンディショナに前記液体乾燥剤を戻すためのリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通って流れ、または前記構造体の間を流れ、前記液体乾燥剤に水を吸収させ、各構造体は、前記構造体の下端に、乾燥剤コレクタをさらに含み、前記乾燥剤コレクタは、前記構造体の前記少なくとも１つの表面を横切って流れた液体乾燥剤を収集するためのものである、リジェネレータと、
前記コンディショナと前記リジェネレータとの間で接続され、前記コンディショナから前記リジェネレータに流れる前記液体乾燥剤から、前記リジェネレータから前記コンディショナに流れる前記液体乾燥剤に熱を伝達するための熱交換器と、
前記コンディショナと前記リジェネレータとの間で前記液体乾燥剤を循環させるための装置と、
を備える乾燥剤空調システム。
＜付記３０＞
前記リジェネレータから前記コンディショナに流れる前記液体乾燥剤をさらに加熱するためのＰＶＴモジュールをさらに備える、付記２９に記載の乾燥剤空調システム。
＜付記３１＞
前記リジェネレータから前記コンディショナに流れる前記液体乾燥剤をさらに加熱するため、および前記コンディショナから前記リジェネレータに流れる前記液体乾燥剤をさらに冷却するためのヒートポンプをさらに備える、付記２９に記載の乾燥剤空調システム。
＜付記３２＞
前記コンディショナで使用される前記液体乾燥剤の実質的にすべてが、前記熱交換器を通して前記リジェネレータに移される、付記２９に記載の乾燥剤空調システム。
＜付記３３＞
前記コンディショナで使用される前記液体乾燥剤の一部が、前記熱交換器を通して前記リジェネレータに移され、前記液体乾燥剤の前記残りが、前記ＰＶＴモジュールによって加熱され、前記コンディショナに戻される、付記２９に記載の乾燥剤空調システム。
＜付記３４＞
前記リジェネレータおよび前記コンディショナの前記複数の構造体のそれぞれが、熱伝達流体が流れることができる通路を含む、付記２９に記載の乾燥剤空調システム。
＜付記３５＞
前記液体乾燥剤および前記熱伝達流体が、前記コンディショナおよび前記リジェネレータ内で一般に反対方向で流れる、付記３４に記載の乾燥剤空調システム。
＜付記３６＞
前記構造体が、前記温度勾配に一般的に平行である方向で自由に膨張または収縮し、前記構造体に対する熱誘導応力を緩和できるように、前記複数の構造体が、前記コンディショナおよびリ前記ジェネレータ内に確保される、付記２９に記載の乾燥剤空調システム。
＜付記３７＞
前記液体乾燥剤と前記気流との間で、前記コンディショナおよび前記リジェネレータ内の各構造体の前記外面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２９に記載の乾燥剤空調システム。
＜付記３８＞
前記液体乾燥剤の前記表面張力および材料の前記シートの特性が、前記液体乾燥剤の乾燥剤コレクタへの移送を容易にする、付記３７に記載の乾燥剤空調システム。
＜付記３９＞
各構造体で、材料の前記シートの下縁が、液体乾燥剤の圧力上昇を削減するために、前記構造体の下位部に固定して接続されていない、付記３７に記載の乾燥剤空調システム。
＜付記４０＞
材料の前記シートが、膜または親水性材料を備える、付記３７に記載の乾燥剤空調システム。
＜付記４１＞
材料の前記シートが、疎水性微細孔膜を備える、付記３７に記載の乾燥剤空調システム。
＜付記４２＞
材料の前記シートが、疎水性材料の層および親水性材料の層を、前記疎水性材料と前記構造体の前記少なくとも１つの表面との間に備える、付記３７に記載のシステム。
＜付記４３＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３７に記載の乾燥剤空調システム。
＜付記４４＞
各構造体が、熱伝達流体が、前記熱伝達流体と前記液体乾燥剤または前記気流との間で熱の伝達のために流れることができる内部通路を含む、付記４３に記載の乾燥剤空調システム。
＜付記４５＞
各構造体の材料の前記シートに１つまたは複数の通気孔をさらに備え、液体乾燥剤が、材料の前記シートと前記構造体との間で自由に流れ、真空封止を抑制できるようにする、付記３７に記載の乾燥剤空調システム。
＜付記４６＞
前記複数の構造体が、実質的に垂直向きで配置され、離間される複数のプレートアセンブリを備え、隣接するプレートアセンブリ間での前記気流の流れを可能にする、付記２９に記載の乾燥剤空調システム。
＜付記４７＞
各プレートアセンブリが、入り組んだプレートを含む、付記４６に記載の乾燥剤空調システム。
＜付記４８＞
前記複数の構造体が、実質的に垂直向きで配置される複数の管状部材を備え、管状部材の内の少なくともいくつかが、前記液体乾燥剤が流れることができる環状の通路、および前記気流が流れることができる、前記環状通路によって取り囲まれる中心通路を含む、付記２９に記載の乾燥剤空調システム。
＜付記４９＞
前記構造体に進入する前記気流内で乱流を引き起こすための装置をさらに備える、請求
項２９に記載の乾燥剤空調システム。
＜付記５０＞
各構造体が、熱伝導性プラスチック材料を備える、付記２９に記載の乾燥剤空調システム。
＜付記５１＞
前記建物空間に進入する前記気流が、前記コンディショナを通って一般に水平方向で流れ、前記建物空間からの還気流または外気が前記リジェネレータを通って一般に水平方向で流れる、付記２９に記載の乾燥剤空調システム。
＜付記５２＞
前記建物空間に進入する前記気流が、前記コンディショナを通って一般に垂直方向で流れ、前記建物空間からの還気流または外気が前記リジェネレータを通って一般に垂直方向で流れる、付記２９に記載の乾燥剤空調システム。
＜付記５３＞
前記リジェネレータおよび前記コンディショナが物理的に分離され、分割空調システムを形成する、付記２９に記載の乾燥剤空調システム。
＜付記５４＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２９に記載の乾燥剤空調システム。
＜付記５５＞
建物空間に進入する気流を処理するための乾燥剤空調システムであって、
前記気流を除湿するための液体乾燥剤、および前記液体乾燥剤を冷却するための熱伝達流体を活用するコンディショナと、
前記コンディショナに接続された、前記コンディショナから前記液体乾燥剤を受け取るためのリジェネレータであって、前記リジェネレータが熱伝達流体を使用して前記液体乾燥剤を加熱し、前記液体乾燥剤に水を脱着させる、リジェネレータと、
前記乾燥剤空調システムを動作する際に使用される電力を発電するための太陽光―熱（ＰＶＴ）モジュールであって、前記ＰＶＴモジュールが、日中前記リジェネレータで活用される熱伝達流体を加熱し、夜に熱伝達流体から熱を放射することによって前記コンディショナで使用される前記熱伝達流体を冷却するように構成される、太陽光―熱モジュールと、
前記ＰＶＴモジュールによって加熱される前記熱伝達流体を保管し、前記ＰＶＴモジュールによって冷却される前記熱伝達流体を保管するための１つまたは複数のタンクと、
前記コンディショナと前記リジェネレータとの間で接続され、前記リジェネレータから前記コンディショナに流れる前記液体乾燥剤から、前記コンディショナから前記リジェネレータに流れる前記液体乾燥剤に熱を伝達するための熱交換器と、
を備え、
前記リジェネレータが、日中、前記ＰＶＴモジュールによって加熱される熱伝達流体を使用し、夜には前記第１のタンクに保管されている前記熱伝達流体を使用するように構成され、
前記コンディショナが、夜に、前記ＰＶＴモジュールによって冷却される熱伝達流体を使用し、日中は前記第２のタンクに保管されている前記熱伝達流体を使用するように構成される、
乾燥剤空調システム。
＜付記５６＞
前記コンディショナが、実質的に垂直向きに配置される複数の構造体を備え、各構造体が、前記液体乾燥剤が横切って流れることができる少なくとも１つの表面を有し、前記気流が、前記液体乾燥剤が前記気流を除湿するように前記構造体を通ってまたは前記構造体の間を流れ、各構造体が、前記少なくとも１つの表面の下縁に、前記構造体の前記少なくとも１つの表面を横切って流れた液体乾燥剤を収集するための乾燥剤コレクタをさらに含む、付記５５に記載の乾燥剤空調システム。
＜付記５７＞
前記コンディショナで使用される前記液体乾燥剤を冷却するための低熱源をさらに備える、付記５５に記載の乾燥剤空調システム。
＜付記５８＞
前記複数の構造体のそれぞれが、熱伝達流体が通って流れることができる通路を含み、前記熱伝達流体を冷却するための低熱源をさらに備える、付記５６に記載の乾燥剤空調システム。
＜付記５９＞
前記液体乾燥剤および前記熱伝達流体が、前記コンディショナ内で一般に反対方向で流れる、付記５８に記載の乾燥剤空調システム
＜付記６０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記５６に記載の乾燥剤空調システム。
＜付記６１＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記５６に記載の乾燥剤空調システム。
＜付記６２＞
前記液体乾燥剤の前記表面張力および材料の前記シートの特性が、前記液体乾燥剤の乾燥剤コレクタへの移送を容易にする、付記６１に記載の乾燥剤空調システム。
＜付記６３＞
各構造体で、材料の前記シートの下縁が、液体乾燥剤の圧力上昇を削減するために、前記構造体の下位部に固定して接続されていない、付記６１に記載の乾燥剤空調システム。
＜付記６４＞
材料の前記シートが、膜または親水性材料を備える、付記６１に記載の乾燥剤空調システム。
＜付記６５＞
材料の前記シートが、疎水性微細孔膜を備える、付記６１に記載の乾燥剤空調システム。
＜付記６６＞
材料の前記シートが、疎水性材料の層および親水性材料の層を、前記疎水性材料と前記構造体の前記少なくとも１つの表面との間に備える、付記６１に記載のシステム。
＜付記６７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記６１に記載の乾燥剤空調システム。
＜付記６８＞
各構造体が、熱伝達流体が、前記熱伝達流体と前記液体乾燥剤または前記気流との間での熱の伝達のために流れることができる内部通路を含む、付記６７に記載の乾燥剤空調システム。
＜付記６９＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記61に記載の乾燥剤空調システム。
＜付記７０＞
前記複数の構造体が、実質的に垂直向きで配置され、離間される複数のプレートアセンブリを備え、隣接するプレートアセンブリ間での前記気流の流れを可能にする、付記５６に記載の乾燥剤空調システム。
＜付記７１＞
各プレートアセンブリが、入り組んだプレートを含む、付記７０に記載の乾燥剤空調システム。
＜付記７２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記５６に記載の乾燥剤空調システム。
＜付記７３＞
前記コンディショナ内の構造体を通ってまたは前記構造体の間を流れる気流内で乱流を引き起こすための装置をさらに備える、付記５６に記載の乾燥剤空調システム。
＜付記７４＞
各構造体が、熱伝導性プラスチック材料を備える、付記５６に記載の乾燥剤空調システム。
＜付記７５＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記５５に記載の乾燥剤空調システム。
＜付記７６＞
前記リジェネレータが、実質的に垂直向きで配置される複数の構造体を含み、各構造体は、前記液体乾燥剤が横切って流れることができる少なくとも１つの表面を有し、前記気流が前記構造体を通ってまたは前記構造体の間を流れ、前記液体乾燥剤に水を脱着させ、各構造体は、前記構造体の下端に、前記構造体の前記少なくとも１つの表面を横切って流れた液体乾燥剤を収集するための乾燥剤コレクタをさらに含む、付記５５に記載の乾燥剤空調システム。
＜付記７７＞
前記構造体が、前記温度勾配に一般的に平行である方向で自由に膨張または収縮し、前記構造体に対する熱誘導応力を緩和できるように、前記複数の構造体が、前記コンディショナ内で確保される、付記７６に記載の乾燥剤空調システム。
＜付記７８＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記７６に記載の乾燥剤空調システム。
＜付記７９＞
前記液体乾燥剤の前記表面張力および材料の前記シートの特性が、前記液体乾燥剤の乾燥剤コレクタへの移送を容易にする、付記７８に記載の乾燥剤空調システム。
＜付記８０＞
各構造体で、材料の前記シートの下縁が、液体乾燥剤の圧力上昇を削減するために、前記構造体の下位部に固定して接続されていない、付記７８に記載の乾燥剤空調システム。
＜付記８１＞
材料の前記シートが、膜または親水性材料を備える、付記７８に記載の乾燥剤空調システム。
＜付記８２＞
材料の前記シートが、疎水性微細孔膜を備える、付記７８に記載の乾燥剤空調システム。
＜付記８３＞
材料の前記シートが、疎水性材料の層および親水性材料の層を、前記疎水性材料と前記構造体の前記少なくとも１つの表面との間に備える、付記７８に記載のシステム。
＜付記８４＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記７８に記載の乾燥剤空調システム。
＜付記８５＞
各構造体が、熱伝達流体が、前記熱伝達流体と前記液体乾燥剤または前記気流との間での熱の伝達のために流れることができる内部通路を含む、付記８４に記載の乾燥剤空調システム。
＜付記８６＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記７８に記載の乾燥剤空調システム。
＜付記８７＞
前記リジェネレータ内の前記複数の構造体が、実質的に垂直向きで配置され、離間される複数のプレートアセンブリを備え、隣接するプレートアセンブリ間での前記気流の流れを可能にする、付記７６に記載の乾燥剤空調システム。
＜付記８８＞
各プレートアセンブリが、入り組んだプレートを含む、付記８７に記載の乾燥剤空調システム。
＜付記８９＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記７６に記載の乾燥剤空調システム。
＜付記９０＞
前記コンディショナまたは前記リジェネレータ内の前記複数の構造体が、構造体の複数のセットを備え、構造体の前記セットが垂直に積み重ねられ、前記気流をさらに処理するか、または水平に積み重ねられ、前記乾燥剤空調システムの容量を増す、付記７６に記載の乾燥剤空調システム。
＜付記９１＞
前記リジェネレータおよび前記コンディショナが物理的に分離され、分割空調システムを形成する、付記５５に記載の乾燥剤空調システム。
＜付記９２＞
前記システムが車両内に設置可能である、付記５５に記載の乾燥剤空調システム。
＜付記９３＞
建物空間に進入する気流を処理するための乾燥剤空調システムであって、
前記気流を加湿するための液体乾燥剤、および前記液体乾燥剤を加熱するための熱伝達流体を活用するコンディショナと、
前記コンディショナに接続された、前記コンディショナから前記液体乾燥剤を受け取るためのリジェネレータであって、前記リジェネレータが前記液体乾燥剤を加湿し、前記液体乾燥剤を冷却するための熱伝達流体を使用する、リジェネレータと、
前記乾燥剤空調システムを動作する際に使用される電力を発電するための太陽光―熱（ＰＶＴ）モジュールであって、前記ＰＶＴモジュールが、日中前記コンディショナで活用される熱伝達流体を加熱し、夜に前記熱伝達流体から熱を放射することによって前記リジェネレータで使用される熱伝達流体を冷却するように構成される、太陽光―熱モジュールと、
前記ＰＶＴモジュールによって加熱される前記熱伝達流体を保管し、前記ＰＶＴモジュールによって冷却される前記熱伝達流体を保管するための１つまたは複数のタンクと、
前記コンディショナと前記リジェネレータとの間で接続され、前記コンディショナから前記リジェネレータに流れる前記液体乾燥剤から、前記リジェネレータから前記コンディショナに流れる前記液体乾燥剤に熱を伝達するための熱交換器と、
を備え、
前記コンディショナが、日中、前記ＰＶＴモジュールによって加熱される熱伝達流体を使用し、夜には前記第１のタンクに保管されている前記熱伝達流体を使用するように構成され、
前記リジェネレータが、夜に、前記ＰＶＴモジュールによって冷却される熱伝達流体を使用し、日中は前記第２のタンクに保管されている前記熱伝達流体を使用するように構成される、
乾燥剤空調システム。
＜付記９４＞
前記コンディショナが、実質的に垂直向きで配置される複数の構造体を備え、各構造体は、前記液体乾燥剤が横切って流れることができる少なくとも１つの表面を有し、前記気流は、前記液体乾燥剤が前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記９３に記載の乾燥剤空調システム。
＜付記９５＞
前記液体乾燥剤を加熱するための熱源をさらに備える、付記９３に記載の乾燥剤空調システム。
＜付記９６＞
前記複数の構造体のそれぞれが、熱伝達流体が通って流れることができる通路を含み、前記熱伝達流体を加熱するための熱源をさらに備える、付記９４に記載の乾燥剤空調システム。  
＜付記９７＞
前記液体乾燥剤および前記熱伝達流体が、前記コンディショナ内で一般に反対方向で流れる、付記９６に記載の乾燥剤空調システム。
＜付記９８＞
前記構造体が、前記温度勾配に一般的に平行である方向で自由に膨張または収縮し、前記構造体に対する熱誘導応力を緩和できるように、前記複数の構造体が、前記コンディショナ内で確保される、付記９４に記載の乾燥剤空調システム。
＜付記９９＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記９４に記載の乾燥剤空調システム。
＜付記１００＞
前記液体乾燥剤の前記表面張力および材料の前記シートの特性が、前記液体乾燥剤の乾燥剤コレクタへの移送を容易にする、付記９９に記載の乾燥剤空調システム。
＜付記１０１＞
各構造体で、材料の前記シートの下縁が、液体乾燥剤の圧力上昇を削減するために、前記構造体の下位部に固定して接続されていない、付記９９に記載の乾燥剤空調システム。
＜付記１０２＞
材料の前記シートが、膜または親水性材料を備える、付記９９に記載の乾燥剤空調システム。
＜付記１０３＞
材料の前記シートが、疎水性微細孔膜を備える、付記９９に記載の乾燥剤空調システム。
＜付記１０４＞
材料の前記シートが、疎水性材料の層および親水性材料の層を、前記疎水性材料と前記構造体の前記少なくとも１つの表面との間に備える、付記９９に記載のシステム。
＜付記１０５＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記９９に記載の乾燥剤空調システム。
＜付記１０６＞
各構造体が、熱伝達流体が、前記熱伝達流体と前記液体乾燥剤または前記気流との間で熱の伝達のために流れることができる内部通路を含む、付記１０５に記載の乾燥剤空調システム。
＜付記１０７＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記９９に記載の乾燥剤空調システム。
＜付記１０８＞
前記複数の構造体が、実質的に垂直向きで配置され、離間される複数のプレートアセンブリを備え、隣接するプレートアセンブリ間での前記気流の流れを可能にする、付記９４に記載の乾燥剤空調システム。
＜付記１０９＞
各プレートアセンブリが、入り組んだプレートを含む、付記１０８に記載の乾燥剤空調システム。
＜付記１１０＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記９４に記載の乾燥剤空調システム。
＜付記１１１＞
前記コンディショナ内の前記構造体を通って、または前記構造体の間を流れる前記気流で乱流を引き起こすための装置をさらに備える、付記９４に記載の乾燥剤空調システム。
＜付記１１２＞
各構造体が、熱伝導性プラスチック材料を備える、付記９４に記載の乾燥剤空調システム。
＜付記１１３＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記９３に記載の乾燥剤空調システム。
＜付記１１４＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を吸収させ、各構造体が、前記構造体の下端に、前記構造体の前記少なくとも１つの表面を横切って流れた液体乾燥剤を収集するための乾燥剤コレクタをさらに含む、付記９３に記載の乾燥剤空調システム。
＜付記１１５＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１１４に記載の乾燥剤空調システム。
＜付記１１６＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１１４に記載の乾燥剤空調システム。
＜付記１１７＞
前記液体乾燥剤の前記表面張力および材料の前記シートの特性が、前記液体乾燥剤の乾燥剤コレクタへの移送を容易にする、付記１１６に記載の乾燥剤空調システム。
＜付記１１８＞
各構造体で、材料の前記シートの下縁が、液体乾燥剤の圧力上昇を削減するために、前記構造体の下位部に固定して接続されていない、付記１１６に記載の乾燥剤空調システム。
＜付記１１９＞
材料の前記シートが、膜または親水性材料を備える、付記１１６に記載の乾燥剤空調システム。
＜付記１２０＞
材料の前記シートが、疎水性微細孔膜を備える、付記１１６に記載の乾燥剤空調システム。
＜付記１２１＞
材料の前記シートが、疎水性材料の層および親水性材料の層を、前記疎水性材料と前記構造体の前記少なくとも１つの表面との間に備える、付記１１６に記載のシステム。
＜付記１２２＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記１１６に記載の乾燥剤空調システム。
＜付記１２３＞
各構造体が、熱伝達流体が、前記熱伝達流体と前記液体乾燥剤または前記気流との間で熱の伝達のために流れることができる内部通路を含む、付記１２２に記載の乾燥剤空調システム。
＜付記１２４＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１１６に記載の乾燥剤空調システム。
＜付記１２５＞
前記リジェネレータ内の前記複数の構造体が、実質的に垂直向きで配置され、離間される複数のプレートアセンブリを備え、隣接するプレートアセンブリ間での前記気流の流れを可能にする、付記１１４に記載の乾燥剤空調システム。
＜付記１２６＞
各プレートアセンブリが、入り組んだプレートを含む、付記１２５に記載の乾燥剤空調システム。
＜付記１２７＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１１４に記載の乾燥剤空調システム。
＜付記１２８＞
前記コンディショナまたは前記リジェネレータ内の前記複数の構造体が、構造体の複数のセットを備え、構造体の前記セットが垂直に積み重ねられ、前記気流をさらに処理する、または水平に積み重ねられ、前記乾燥剤空調システムの容量を増す、付記１１４に記載の乾燥剤空調システム。
＜付記１２９＞
前記リジェネレータおよび前記コンディショナが物理的に分離され、分割空調システムを形成する、付記９３に記載の乾燥剤空調システム。
＜付記１３０＞
前記システムが車両内に設置可能である、付記９３に記載の乾燥剤空調システム。
＜付記１３１＞
建物空間に進入する気流を処理するための乾燥剤空調システムであって、
暖気運転モードで前記気流を除湿するため、および寒気運転モードで前記気流を加湿するための液体乾燥剤を活用するコンディショナと、
前記コンディショナに接続された、前記コンディショナから前記液体乾燥剤を受け取るためのリジェネレータであって、前記リジェネレータは、暖気運転モードで水を脱着させ、寒気運転モードで水を吸収させる、リジェネレータと、
前記コンディショナを通って前記気流を移動するための装置と、
前記コンディショナおよび前記リジェネレータを通して前記液体乾燥剤を循環させるための装置と、
前記暖気運転モードで前記リジェネレータに導入される液体乾燥剤を加熱するため、および前記寒気運転モードで前記コンディショナに導入される液体乾燥剤を加熱するための太陽光―熱（ＰＶＴ）モジュールであって、前記ＰＶＴモジュールが、前記乾燥剤空調システムを操作する際に使用される電力を発電するための１つまたは複数の太陽電池も含む、太陽光―熱モジュールと、
を備える乾燥剤空調システム。
＜付記１３２＞
前記建物空間に進入する前記気流が、前記コンディショナを通って実質的に水平方向で流れ、前記建物空間からの還気流または外気が前記リジェネレータを通って実質的に水平方向で流れる、付記１３１に記載の乾燥剤空調システム。
＜付記１３３＞
前記建物空間に進入する前記気流が、前記コンディショナを通って実質的に垂直方向で流れ、前記建物空間からの還気流または外気が前記リジェネレータを通って実質的に垂直方向で流れる、付記１３１に記載の乾燥剤空調システム。
＜付記１３４＞
前記コンディショナおよび前記リジェネレータがそれぞれ、液体乾燥剤を保持し、液体乾燥剤を気流に露呈するための濾過材を含み、前記コンディショナおよび前記リジェネレータがそれぞれ、前記濾過材の上に前記乾燥剤を噴霧するための１つまたは複数のスプレーヘッドを含む、付記１３１に記載の乾燥剤空調システム。
＜付記１３５＞
ヒートポンプまたは低熱源をさらに備え、前記暖気運転モードでは、前記コンディショナからの液体乾燥剤が、前記ＰＶＴモジュールまたはヒートポンプによって加熱され、前記リジェネレータに移され、前記リジェネレータからの前記液体乾燥剤が、前記低熱源または前記ヒートポンプによって冷却され、前記コンディショナに移される、付記１３１に記載の乾燥剤空調システム。
＜付記１３６＞
ヒートポンプまたは低熱源をさらに備え、前記暖気運転モードでは、前記コンディショナからの液体乾燥剤が、前記低熱源または前記ヒートポンプによって冷却され、前記コンディショナのスプレーヘッドに移され、前記リジェネレータからの前記液体乾燥剤が、前記ＰＶＴモジュールまたは前記ヒートポンプによって加熱され、前記リジェネレータに移される、付記１３１に記載の乾燥剤空調システム。
＜付記１３７＞
ヒートポンプまたは低熱源をさらに備え、前記寒気運転モードでは、前記コンディショナからの液体乾燥剤が、前記低熱源または前記ヒートポンプによって冷却され、前記リジェネレータのスプレーヘッドに移され、前記リジェネレータからの前記液体乾燥剤が、前記ＰＶＴモジュールまたは前記ヒートポンプによって加熱され、前記コンディショナのスプレーヘッドに移される、付記１３１に記載の乾燥剤空調システム。
＜付記１３８＞
ヒートポンプまたは低熱源をさらに備え、前記寒気運転モードでは、前記コンディショナからの液体乾燥剤が、前記ＰＶＴモジュールまたは前記ヒートポンプによって加熱され、前記リジェネレータのスプレーヘッドに移され、前記リジェネレータからの前記液体乾燥剤が、前記低熱源または前記ヒートポンプによって冷却され、前記コンディショナのスプレーヘッドに移される、付記１３１に記載の乾燥剤空調システム。
＜付記１３９＞
水蒸気を加えるための加湿器、および前記寒気運転モードで前記コンディショナによって処理される前記気流に熱を加えるための別のＰＶＴモジュールをさらに備える、付記１３１に記載の乾燥空調システム。
＜付記１４０＞
熱交換器をさらに備え、液体乾燥剤が、前記リジェネレータと前記コンディショナの間で、前記熱交換器を通じて交換される、付記１３１に記載の乾燥剤空調システム。
＜付記１４１＞
前記環境から空調システム構成部品を保護するための外部エンクロージャと、
前記１つまたは複数の太陽電池によって発電される直流電気を交流電気に反転させるための、前記１つまたは複数の太陽電池に結合されたソーラーインバータであって、前記ソーラーインバータが、前記空調システムの前記外部エンクロージャ内に位置決めされる、ソーラーインバータと、
をさらに備える、付記１３１に記載の乾燥剤空調システム。
＜付記１４２＞
前記ＰＶＴモジュールが、前記１つまたは複数の太陽電池の真下に、前記ＰＶＴモジュールによって加熱される熱伝達流体を保管し、前記ＰＶＴモジュールにとってのバラストとして機能するための貯水タンクを備える、付記１３１に記載の乾燥剤空調システム。
＜付記１４３＞
前記ＰＶＴモジュールが、熱伝達流体を加熱するための熱ユニット、および熱伝達流体を保管するための保管タンクを備え、前記熱ユニットおよび前記保管タンクが前記保管タンク上で切り離し自在に取り付けられ、前記保管タンクが、前記ＰＶＴモジュールが分解された状態にあるときに前記１つまたは複数の太陽電池および前記熱ニットを保管するように構成される、付記１３１に記載の乾燥剤空調システム。
＜付記１４４＞
前記保管タンク上に、前記１つまたは複数の太陽電池および前記熱ユニットを取り付けるための取り外し可能な支持物をさらに備える、付記１３１に記載の乾燥剤空調システム。
＜付記１４５＞
前記建物空間に進入する空気を予熱し、前記乾燥剤空調システムを操作する際に使用される電力を発電するためのＰＶＴモジュールをさらに備える、付記１３１に記載の乾燥剤空調システム。
＜付記１４６＞
前記寒気運転モードで前記コンディショナによって処理される前記気流を加湿するための加湿器、および前記加湿器に提供される水を予熱し、前記乾燥剤空調システムで使用される電力を発電するＰＶＴモジュールをさらに備える、付記１３１に記載の乾燥剤空調システム。
＜付記１４７＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１３１に記載の乾燥剤空調システム。
＜付記１４８＞
建物空間に進入する気流を処理するための方法であって、
液体乾燥剤を活用して、暖気運転モードで前記気流を除湿し、寒気運転モードで前記気流を加湿することによって前記気流を調整することと、
前記暖気運転モードで前記液体乾燥剤に水を脱着させ、前記寒気運転モードで前記液体乾燥剤に水を吸収させることによって、前記気流を調整する際に使用される前記液体乾燥剤を再生することと、
太陽光―熱（ＰＶＴ）モジュールを活用し、前記暖気運転モードで再生される前記液体吸収剤を加熱し、前記寒気運転モードで前記気流を調整するために使用される前記液体乾燥剤を加熱することと、
前記ＰＶＴモジュールを活用し、前記乾燥剤空調システムを操作する際に使用される電力を発電することと、
を含む方法。
＜付記１４９＞
実質的に水平方向で流れるように調整される一方、前記気流を押し進めること、および前記液体乾燥剤を再生するために実質的に水平方向で流れる、前記建物空間からの還気流を利用することをさらに含む、付記１４８に記載の方法。
＜付記１５０＞
実質的に垂直方向で流れるように調整される一方、前記気流を押し進めること、および前記液体乾燥剤を再生するために実質的に垂直方向で流れる、前記建物空間からの還気流を利用することをさらに含む、付記１４８に記載の方法。
＜付記１５１＞
前記暖気運転モードで前記気流を調整する際に使用される前記液体乾燥剤を冷却することをさらに含み、前記寒気運転モードで再生される前記液体乾燥剤を冷却することをさらに含む、付記１４８に記載の方法。
＜付記１５２＞
前記気流を調整するために使用される前記液体乾燥剤と、再生される前記液体乾燥剤との間で熱を伝達することをさらに含む、付記１４８に記載の方法。
＜付記１５３＞
ＰＶＴモジュールを使用して前記建物空間に進入する空気を予熱することをさらに含む、付記１４８に記載の方法。
＜付記１５４＞
前記加湿器に提供される水を予熱するためのＰＶＴモジュールを使用して、前記寒気運転モードで前記コンディショナによって処理される前記気流を加湿することをさらに含む、付記１４８に記載の方法。
＜付記１５５＞
タンク内に前記液体乾燥剤を置くことと、
前記液体乾燥剤が、前記タンクの前記高さに沿って濃度が変化するように、前記液体乾燥剤が沈殿できるようにすることと、
所与の濃度を有する液体乾燥剤を入手するために、前記タンクの所与の選択された高さで、前記タンクから、前記気流を調整する際に使用される液体乾燥剤を引き出すことと、
をさらに含む、付記１４８に記載の方法。
＜付記１５６＞
建物空間に進入する気流を処理するための乾燥剤空調システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が暖気運転モードで前記気流を除湿し、寒気運転モードで前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
前記コンディショナに接続された、前記コンディショナ内の前記乾燥剤コレクタから液体乾燥剤を受け取るためのリジェネレータであって、前記リジェネレータは、前記液体乾燥剤に暖気運転モードで水を脱着させ、寒気運転モードで水を吸収させる、リジェネレータと、
前記コンディショナを通って前記気流を移動するための装置と、
前記コンディショナおよび前記リジェネレータを通して前記液体乾燥剤を循環させるための装置と、
を備える乾燥剤空調システム。
＜付記１５７＞
前記暖気運転モードで前記コンディショナで使用される前記液体乾燥剤を冷却するための低熱源、および前記寒気運転モードで前記液体乾燥剤を加熱するための熱源をさらに備える、付記１５６に記載の乾燥剤空調システム。
＜付記１５８＞
前記複数の構造体のそれぞれが、熱伝達流体が通って流れることができる通路を含み、前記暖気運転モードで前記熱伝達流体を冷却するための低熱源、および前記寒気運転モードで前記熱伝達流体を加熱するための熱源をさらに備える、付記１５６に記載の乾燥剤空調システム。
＜付記１５９＞
前記液体乾燥剤および前記熱伝達流体が、前記コンディショナ内で一般に反対方向で流れる、付記１５８に記載の乾燥剤空調システム。
＜付記１６０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１５６に記載の乾燥剤空調システム。
＜付記１６１＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１５６に記載の乾燥剤空調システム。
＜付記１６２＞
前記液体乾燥剤の前記表面張力および材料の前記シートの特性が、前記液体乾燥剤の乾燥剤コレクタへの移送を容易にする、付記１６１に記載の乾燥剤空調システム。
＜付記１６３＞
各構造体で、材料の前記シートの下縁が、液体乾燥剤の圧力上昇を削減するために、前記構造体の下位部に固定して接続されていない、付記１６１に記載の乾燥剤空調システム。
＜付記１６４＞
材料の前記シートが、膜または親水性材料を備える、付記１６１に記載の乾燥剤空調システム。
＜付記１６５＞
材料の前記シートが、疎水性微細孔膜を備える、付記１６１に記載の乾燥剤空調システム。
＜付記１６６＞
材料の前記シートが、疎水性材料の層および親水性材料の層を、前記疎水性材料と前記構造体の前記少なくとも１つの表面との間に備える、付記１６１に記載のシステム。
＜付記１６７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記１６１に記載の乾燥剤空調システム。
＜付記１６８＞
各構造体が、熱伝達流体が、前記熱伝達流体と前記液体乾燥剤または前記気流との間で熱の伝達のために流れることができる内部通路を含む、付記１６７に記載の乾燥剤空調システム。
＜付記１６９＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１６１に記載の乾燥剤空調システム。
＜付記１７０＞
前記複数の構造体が、実質的に垂直向きで配置され、離間される複数のプレートアセンブリを備え、隣接するプレートアセンブリ間での前記気流の流れを可能にする、付記１５６に記載の乾燥剤空調システム。
＜付記１７１＞
各プレートアセンブリが、入り組んだプレートを含む、付記１７０に記載の乾燥剤空調システム。
＜付記１７２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１５６に記載の乾燥剤空調システム。
＜付記１７３＞
前記寒気運転モードで前記コンディショナによって処理される前記気流を加湿するための加湿器をさらに備え、前記加湿器で使用される水を加熱し、前記乾燥剤空調システムを操作する際に使用される電力を発電するための太陽光―熱（ＰＶＴ）モジュールをさらに備える、付記１５６に記載の乾燥剤空調システム。
＜付記１７４＞
前記寒気運転モードで前記建物空間に供給される前記気流を予熱し、前記乾燥剤空調システムを操作する際に使用される電力を発電するための太陽光―熱（ＰＶＴ）モジュールをさらに備える、付記１５６に記載の乾燥剤空調システム。
＜付記１７５＞
前記コンディショナ内の前記構造体を通って、または前記構造体の間を流れる前記気流で乱流を引き起こすための装置をさらに備える、付記１５６に記載の乾燥剤空調システム。
＜付記１７６＞
各構造体が、熱伝導性プラスチック材料を備える、付記１５６に記載の乾燥剤空調システム。
＜付記１７７＞
前記コンディショナが、前記寒気運転モードで前記構造体によって処理される前記気流を加熱する、または前記暖気運転モードで前記構造体によって処理される前記気流を冷却するための事後処理装置をさらに備える、付記１５６に記載の乾燥剤空調システム。
＜付記１７８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１５６に記載の乾燥剤空調システム。
＜付記１７９＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記暖気運転モードで前記液体乾燥剤に水を脱着させ、前記寒気運転モードで前記液体吸収剤に水を吸収させ、各構造体が、前記構造体の下端に、前記構造体の前記少なくとも１つの表面を横切って流れた液体乾燥剤を収集するための乾燥剤コレクタをさらに含む、付記１５６に記載の乾燥剤空調システム。
＜付記１８０＞
前記暖気運転モードで前記液体乾燥剤を加熱するための熱源をさらに備える、付記１７９に記載の乾燥剤空調システム。
＜付記１８１＞
前記リジェネレータ内の前記複数の構造体のそれぞれが、熱伝達流体が通って流れることができる通路を含み、前記暖気モードで前記熱伝達流体を加熱するための熱源をさらに備える、付記１７９に記載の乾燥剤空調システム。
＜付記１８２＞
前記液体乾燥剤および前記熱伝達流体が、前記リジェネレータ内で一般に反対方向で流れる、付記１８１に記載の乾燥剤空調システム。
＜付記１８３＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１７９に記載の乾燥剤空調システム。
＜付記１８４＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１７９に記載の乾燥剤空調システム。
＜付記１８５＞
前記液体乾燥剤の前記表面張力および材料の前記シートの特性が、前記液体乾燥剤の乾燥剤コレクタへの移送を容易にする、付記１８４に記載の乾燥剤空調システム。
＜付記１８６＞
各構造体で、材料の前記シートの下縁が、液体乾燥剤の圧力上昇を削減するために、前記構造体の下位部に固定して接続されていない、付記１８４に記載の乾燥剤空調システム。
＜付記１８７＞
材料の前記シートが、膜または親水性材料を備える、付記１８４に記載の乾燥剤空調システム。
＜付記１８８＞
材料の前記シートが、疎水性微細孔膜を備える、付記１８４に記載の乾燥剤空調システム。
＜付記１８９＞
材料の前記シートが、疎水性材料の層および親水性材料の層を、前記疎水性材料と前記構造体の前記少なくとも１つの表面との間に備える、付記１８４に記載のシステム。
＜付記１９０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記１８４に記載の乾燥剤空調システム。
＜付記１９１＞
各構造体が、熱伝達流体が、前記熱伝達流体と前記液体乾燥剤または前記気流との間で熱の伝達のために流れることができる内部通路を含む、付記１９０に記載の乾燥剤空調システム。
＜付記１９２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１８４に記載の乾燥剤空調システム。
＜付記１９３＞
前記リジェネレータ内の前記複数の構造体が、実質的に垂直向きで配置され、離間される複数のプレートアセンブリを備え、隣接するプレートアセンブリ間での前記気流の流れを可能にする、付記１７９に記載の乾燥剤空調システム。
＜付記１９４＞
各プレートアセンブリが、入り組んだプレートを含む、付記１９３に記載の乾燥剤空調システム。
＜付記１９５＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１７９に記載の乾燥剤空調システム。
＜付記１９６＞
前記リジェネレータが、前記寒気運転モードで前記構造体によって処理される前記気流を加熱する、または前記暖気運転モードで前記構造体に進入する前記気流を冷却する、または暖気運転モードで前記構造体によって処理される前記気流を加熱するための前処理コイルをさらに備える、付記１７９に記載の乾燥剤空調システム。
＜付記１９７＞
前記コンディショナ内の前記構造体を出る前記熱伝達流体と、前記リジェネレータ内の前記構造体を出る前記熱伝達流体との間で熱を移送するためにヒートポンプをさらに備える、付記１７９に記載の乾燥剤空調システム。
＜付記１９８＞
前記コンディショナ内の前記構造体を出る前記液体乾燥剤と、前記リジェネレータ内の前記構造体を出る前記液体乾燥剤との間で熱を移送するためにヒートポンプをさらに備える、付記１７９に記載の乾燥剤空調システム。
＜付記１９９＞
前記コンディショナまたは前記リジェネレータ内の前記複数の構造体が、構造体の複数のセットを備え、構造体の前記セットが垂直に積み重ねられ、前記気流をさらに処理する、または水平に積み重ねられ、前記乾燥剤空調システムの容量を増す、付記１７９に記載の乾燥剤空調システム。
＜付記２００＞
前記暖気運転モードで前記リジェネレータ内に導入される液体乾燥剤を加熱するため、および前記寒気運転モードで前記コンディショナ内に導入される液体乾燥剤を加熱するための、前記コンディショナおよび前記リジェネレータに接続された太陽光―熱（ＰＶＴ）モジュールをさらに備え、前記太陽光―熱（ＰＶＴ）モジュールが、前記乾燥剤空調システムを操作する際に使用される電力を発電するための１つまたは複数の太陽電池も含む、付記１５６に記載の乾燥剤空調システム。
＜付記２０１＞
前記建物空間に進入する前記気流が、前記コンディショナを通って一般に水平方向で流れ、前記建物空間からの還気流または外気が前記リジェネレータを通って一般に水平方向で流れる、付記１５６に記載の乾燥剤空調システム。
＜付記２０２＞
前記建物空間に進入する前記気流が、前記コンディショナを通って一般に垂直方向で流れ、前記建物空間からの還気流または外気が前記リジェネレータを通って一般に垂直方向で流れる、付記１５６に記載の乾燥剤空調システム。
＜付記２０３＞
前記リジェネレータおよび前記コンディショナが物理的に分離され、分割空調システムを形成する、付記１５６に記載の乾燥剤空調システム。
＜付記２０４＞
前記システムが車両内に設置可能である、付記１５６に記載の乾燥剤空調システム。
＜付記２０５＞
建物空間に進入する気流を処理するための乾燥剤空調システムであって、
（ａ）コンディショナであって、
（ｉ）実質的に垂直向きで配置され、そこを通る前記気流の通路のために構造体の間の、または構造体を通る流路を画定し、各構造体が、液体乾燥剤または水のどちらかが、前記気流が、前記流路のいくつかにあるときに前記液体乾燥剤に露呈されに、除湿され、他の流路にあるときに水に露呈され、加湿されるように横切って流れることができる少なくとも１つの外面を有し、各構造体が、その構造体の前記少なくとも１つの外面の下端に、前記構造体の前記少なくとも１つの表面を横切って流れた前記液体乾燥剤または前記水を収集するためのコレクタをさらに含む、複数の構造体と、
（ｉｉ）除湿された前記気流の一部を、それが水に露呈される流路に迂回させるための１つまたは複数のダイバータであって、流路で前記気流の一部が水の一部を吸収し、それによって冷却される、１つまたは複数のダイバータと、
を含むコンディショナと、
（ｂ）前記コンディショナに接続された、前記コンディショナ内の前記乾燥剤コレクタから液体乾燥剤を受け取るためのリジェネレータであって、前記リジェネレータは、前記液体乾燥剤に水を脱着させ、前記コンディショナに前記液体乾燥剤を戻す、リジェネレータと、
（ｃ）前記コンディショナを通して前記気流を移動するための装置と、
（ｄ）前記コンディショナと前記リジェネレータを通して前記液体乾燥剤を循環させるための装置と、
を備える乾燥剤空調システム。
＜付記２０６＞
前記複数の構造体のそれぞれが、熱伝達流体が通って流れることができる通路を含み、前記熱伝達流体を冷却するための低熱源をさらに備える、付記２０５に記載の乾燥剤空調システム。
＜付記２０７＞
前記構造体が、前記気流が、交互の流路内で液体乾燥剤および水に露呈されるように構成される、付記２０５に記載の乾燥剤空調システム。
＜付記２０８＞
前記空気ダイバータが、迂回される前記気流の前記量を選択的に制御できる、付記２０５に記載の乾燥剤空調システム。
＜付記２０９＞
前記構造体が互いに実質的に同一であり、各プレート構造体が、隣接するプレート構造体に対して反対の向きを有する、付記２０５に記載の乾燥剤空調システム。
＜付記２１０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記２０５に記載の乾燥剤空調システム。
＜付記２１１＞
前記液体乾燥剤と前記気流との間で、または前記水と前記気流との間で、各構造体の前記外面に近位に位置決めされる材料のシートをさらに備え、材料の前記シートが、乾燥剤コレクタの中へ前記液体乾燥剤を誘導し、前記液体乾燥剤と前記気流との間で、または前記水と前記気流との間での水蒸気の移送を可能にする、付記２０５に記載の乾燥剤空調システム。
＜付記２１２＞
前記液体乾燥剤または水の前記表面張力および材料の前記シートの特性が、前記液体乾燥剤または水のコレクタへの移送を容易にする、付記２１１に記載の乾燥剤空調システム。
＜付記２１３＞
構造体ごとに、材料の前記シートの下縁が、液体乾燥剤または水の圧力上昇を削減するために、前記構造体の下位部に固定して接続されていない、付記２１１に記載の乾燥剤空調システム。
＜付記２１４＞
材料の前記シートが、膜または親水性材料を備える、付記２１１に記載の乾燥剤空調システム。
＜付記２１５＞
材料の前記シートが、疎水性微細孔膜を備える、付記２１１に記載の乾燥剤空調システム。  
＜付記２１６＞
材料の前記シートが、疎水性材料の層および親水性材料の層を、前記疎水性材料と前記構造体の前記少なくとも１つの表面との間に備える、付記２１１に記載のシステム。
＜付記２１７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記２１１に記載の乾燥剤空調システム。
＜付記２１８＞
各構造体の材料の前記シートに１つまたは複数の通気孔をさらに備え、液体乾燥剤または水が、材料の前記シートと前記構造体との間で自由に流れ、真空封止を抑制できるようにする、付記２０５に記載の乾燥剤空調システム。
＜付記２１９＞
前記複数の構造体が、実質的に垂直向きで配置され、離間される複数のプレートアセンブリを備え、隣接するプレートアセンブリ間での前記気流の流れを可能にする、付記２０５に記載の乾燥剤空調システム。
＜付記２２０＞
各プレートアセンブリが、入り組んだプレートを含む、付記２１９に記載の乾燥剤空調システム。
＜付記２２１＞
前記複数の構造体が、実質的に垂直向きで配置される複数の管状部材を備え、管状部
材の内の少なくともいくつかが、前記液体乾燥剤が流れることができる環状通路、および前記気流が流れることができる、前記環状通路によって取り囲まれる中心通路を含む、付記２０５に記載の乾燥剤空調システム。
＜付記２２２＞
前記コンディショナ内の前記構造体を通って、または前記構造体の間を流れる前記気流で乱流を引き起こすための装置をさらに備える、付記２０５に記載の乾燥剤空調システム。
＜付記２２３＞
それぞれの入り組んだプレート構造体が、熱伝導性プラスチック材料を備える、付記２０５に記載の乾燥剤空調システム。
＜付記２２４＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２０５に記載の乾燥剤空調システム。
＜付記２２５＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を脱着させ、各構造体が、前記構造体の下端に、前記構造体の前記少なくとも１つの表面を横切って流れた液体乾燥剤を収集するための乾燥剤コレクタをさらに含む、付記２０５に記載の乾燥剤空調システム。
＜付記２２６＞
前記液体乾燥剤を加熱するための熱源をさらに備える、付記２２５に記載の乾燥剤空調システム。
＜付記２２７＞
前記リジェネレータ内の前記複数の構造体のそれぞれが、熱伝達流体が通って流れることができる通路を含み、前記熱伝達流体を加熱するための熱源をさらに備える、付記２２５に記載の乾燥剤空調システム。
＜付記２２８＞
前記液体乾燥剤および前記熱伝達流体が、前記リジェネレータ内で一般に反対方向で流れる、付記２２７に記載の乾燥剤空調システム。
＜付記２２９＞
前記構造体が、前記温度勾配に一般的に平行である方向で自由に膨張または収縮し、前記構造体に対する熱誘導応力を緩和できるように、前記複数の構造体が、前記コンディショナ内で確保される、付記２２５に記載の乾燥剤空調システム。
＜付記２３０＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２２５に記載の乾燥剤空調システム。
＜付記２３１＞
前記液体乾燥剤の前記表面張力および材料の前記シートの特性が、前記液体乾燥剤の乾燥剤コレクタへの移送を容易にする、付記２３０に記載の乾燥剤空調システム。
＜付記２３２＞
各構造体で、材料の前記シートの下縁が、液体乾燥剤の圧力上昇を削減するために、前記構造体の下位部に固定して接続されていない、付記２３０に記載の乾燥剤空調システム。
＜付記２３３＞
材料の前記シートが、膜または親水性材料を備える、付記２３０に記載の乾燥剤空調システム。
＜付記２３４＞
材料の前記シートが、疎水性微細孔膜を備える、付記２３０に記載の乾燥剤空調システム。
＜付記２３５＞
材料の前記シートが、疎水性材料の層および親水性材料の層を、前記疎水性材料と前記構造体の前記少なくとも１つの表面との間に備える、付記２３０に記載のシステム。
＜付記２３６＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記２３０に記載の乾燥剤空調システム。
＜付記２３７＞
各構造体が、熱伝達流体が、前記熱伝達流体と前記液体乾燥剤または前記気流との間で熱の伝達のために流れることができる内部通路を含む、付記２３６に記載の乾燥剤空調システム。
＜付記２３８＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記２３０に記載の乾燥剤空調システム。
＜付記２３９＞
前記リジェネレータ内の前記複数の構造体が、実質的に垂直向きで配置され、離間される複数のプレートアセンブリを備え、隣接するプレートアセンブリ間での前記気流の流れを可能にする、付記２２５に記載の乾燥剤空調システム。
＜付記２４０＞
各プレートアセンブリが、入り組んだプレートを含む、付記２２５に記載の乾燥剤空調システム。
＜付記２４１＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記２２５に記載の乾燥剤空調システム。
＜付記２４２＞
前記複数の構造体が、構造体の複数のセットを備え、構造体の前記セットが垂直に積み重ねられ、前記気流をさらに処理する、または水平に積み重ねられ、前記乾燥剤空調システムの容量を増す、付記２２５に記載の乾燥剤空調システム。
＜付記２４３＞
前記暖気運転モードで前記リジェネレータ内に導入される液体乾燥剤を加熱するため、および前記寒気運転モードで前記ジェネレータ内に導入される液体乾燥剤を加熱するための、前記コンディショナおよび前記リジェネレータに接続された太陽光―熱（ＰＶＴ）モジュールをさらに備え、前記太陽光―熱（ＰＶＴ）モジュールが、前記乾燥剤空調システムを操作する際に使用される電力を発電するための１つまたは複数の太陽電池も含む、付記２０５に記載の乾燥剤空調システム。
＜付記２４４＞
前記建物空間に進入する前記気流が、前記コンディショナを通って一般に水平方向で流れ、前記建物空間からの還気流または外気が前記リジェネレータを通って一般に水平方向で流れる、付記２０５に記載の乾燥剤空調システム。
＜付記２４５＞
前記建物空間に進入する前記気流が、前記コンディショナを通って一般に垂直方向で流れ、前記建物空間からの還気流または外気が前記リジェネレータを通って一般に垂直方向で流れる、付記２０５に記載の乾燥剤空調システム。
＜付記２４６＞
前記リジェネレータおよび前記コンディショナが物理的に分離され、分割空調システムを形成する、付記２０５に記載の乾燥剤空調システム。
＜付記２４７＞
システムが車両に設置可能である、付記２０５に記載の乾燥剤空調システム。
＜付記２４８＞
第１の流体と第２の流体との間で熱を移送するための熱交換器であって、
隣接するプレートの間にチャンネルを画定する実質上平行なプレートのスタックであって、前記第１の流体および前記第２の流体が、前記スタックの交互のチャンネルを通って別々に流れ、前記複数の実質上平行なプレートが、滅伝導性プラスチックを備える、プレートのスタックと、
前記第１の流体が通って流れる前記チャンネルと流体連通する第１の流体入口ポートおよび第１の流体出口ポートと、
前記第２の流体が通って流れる前記チャンネルと流体連通する第２の流体入口ポートおよび第２の流体出口ポートと、
を備える熱交換器。
＜付記２４９＞
前記熱交換器が逆流熱交換器であって、前記第１の流体および前記第２の流体が前記チャンネルを通って一般に反対方向に流れる、付記２４８に記載の熱交換器。
＜付記２５０＞
前記チャンネルのそれぞれが、入り組んだ流路を画定するためにその中に障害物を含む、付記４８に記載の熱交換器。
＜付記２５１＞
複数のシールをさらに備え、１対の隣接プレートの間のそれぞれが、前記第１の流体および前記第２の流体用に別々のチャンネルを維持し、前記第１の流体および前記第２の流体の流れを概して横断方向に向ける、付記２４８に記載の熱交換器。
＜付記２５２＞
前記複数のシールが、前記プレートに接着される接着剤材料を備える、付記２５１に記載の熱交換器。
＜付記２５３＞
前記積み重ねられたプレートのそれぞれが、その表面上に、前記表面を横切って前記第１の流体または前記第２の流体の前記流れの中で乱流を引き起こすための隆起を含む、付記２４８に記載の熱交換器。
＜付記２５４＞
前記隆起が、前記積み重ねられたプレート内に一体形成される、付記２５３に記載の熱交換器。
＜付記２５５＞
前記隆起が、前記積み重ねられたプレートの前記表面に接着される接着剤材料のパターンを備える、付記２５３に記載の熱交換器。
＜付記２５６＞
前記第１の流体および前記第２の流体の少なくとも１つが液体乾燥剤である、付記２４８に記載の熱交換器。
＜付記２５７＞
1  前記第１の流体および前記第２の流体の少なくとも１つが熱伝達流体である、付記２４８に記載の熱交換器。
＜付記２５８＞
第１の流体および第２の流体の間で熱を移送するための熱交換器を構築する方法であって、
（ａ）それぞれが熱伝導性プラスチックを備える、複数のプレートを提供するステップと、
（ｂ）前記プレートのそれぞれに接着剤材料のパターンを接着するステップと、
（ｃ）隣接するプレートの間に、前記第１の流体および前記第２の流体が別々に通って流れることができるチャンネルが形成されるように前記プレートを積み重ねるステップであって、前記接着剤材料が、隣接するプレート間にシールを形成し、前記第１の流体および前記第２の流体の前記流のために別々の交互のチャンネルを維持し、一般に横断方向に前記第１の流体および前記第２の流体の流れを向ける、積み重ねるステップと、
を含む方法。
＜付記２５９＞
前記接着剤材料が、前記プレートの表面上に、前記表面を横切る前記第１の流体または前記第２の流体の前記流の中で乱流を引き起こすための隆起を形成する、付記２５８に記載の方法。
＜付記２６０＞
１枚のプレートの表面上の前記隆起が、隣接するプレートの表面上の隆起によって支えられる、付記２５９に記載の方法。
＜付記２６１＞
前記接着剤材料が、シーラントラインを形成し、前記熱交換器内に前記第１の流体および前記第２の流体を収容する、付記２５８に記載の方法。
＜付記２６２＞
（ｂ）が、各プレートの両側に接着剤材料のパターンを接着することを含む、付記２５８に記載の方法。
＜付記２６３＞
（ｂ）が、各プレートに接着剤材料のパターンを適用すること、および接着剤材料のパターンが硬化できるようにすることを含む、付記２５８に記載の方法。
＜付記２６４＞
ソーラー空調システムであって、
建物空間に進入する気流を処理するための空調装置であって、前記空調装置が、空調ユニット構成部品を前記環境から保護するための外部エンクロージャを含む、空調装置と、
太陽エネルギーを直流電気に変換するための１つまたは複数の太陽光電池モジュールと、
前記１つまたは複数の太陽光電池モジュールによって発電される直流電気を、前記空調装置に動力を提供するための交流電気に反転させるための、前記１つまたは複数の太陽光電池モジュールに結合されたソーラーインバータであって、前記ソーラーインバータが、前記空調システムの前記外部エンクロージャ内に位置決めされる、ソーラーインバータと、
を備えるソーラー空調システム。
＜付記２６５＞
前記１つまたは複数の太陽光電池モジュールが、太陽光―熱（ＰＶＴ）モジュールの一部である、付記２６４に記載のソーラー空調システム。
＜付記２６６＞
前記ＰＶＴモジュールが、前記１つまたは複数の太陽光電池モジュールの真下に、前記ＰＶＴモジュールによって加熱される水を保管し、前記ＰＶＴモジュールにとってのバラストとして機能するための貯水タンクをさらに備える、付記２６５に記載のソーラー空調システム。
＜付記２６７＞
前記空調装置が乾燥剤空調システムを備え、前記空調構成部品が、乾燥剤コンディショナおよび乾燥剤リジェネレータを含む、付記２６４に記載のソーラー空調システム。
＜付記２６８＞
前記１つまたは複数の太陽光電池モジュールが、太陽光―熱（ＰＶＴ）モジュールの一部であり、前記ＰＶＴモジュールが、暖気運転モードで前記リジェネレータで導入される液体乾燥剤を加熱し、寒気運転モードで前記コンディショナで導入される液体乾燥剤を加熱するための、付記２６７に記載のソーラー空調システム。
＜付記２６９＞
コンディショナおよびリジェネレータを含む乾燥剤空調システムを操作する方法であって、前記乾燥剤空調システムが、太陽熱システムによって加熱または冷却される熱伝達流体によって駆動され、前記太陽熱システムが、前記熱伝達流体を保管するための複数のタンクを含み、前記方法が、暖気運転モードで、
（ａ）日中、（ｉ）常温の熱伝達流体を収容する前記タンクの内の１つまたは複数から、液体乾燥剤を冷却するために使用される前記乾燥剤空調システムの前記コンディショナに、常温の熱伝達流体を写し、（ｉｉ）前記太陽熱暖房システムを使用して熱伝達流体を加熱し、前記結果として生じる加熱された熱伝達流体を、液体乾燥剤を加熱するために使用される前記乾燥剤空調システムの前記リジェネレータに移送し、（ｉｉｉ）夜間に、前記リジェネレータ内で使用される前記加熱された熱伝達流体で前記タンクを充填するステップと、
（ｂ）夜間に、（ｉ）加熱された熱伝達流体を収容する前記タンクの１つまたは複数から、前記液体乾燥剤を加熱するために使用される前記乾燥剤空調システムの前記リジェネレータに加熱された熱伝達流体を移送し、（ｉｉ）前記太陽熱暖房システムを使用して前記熱伝達流体から熱を放射し、前記結果として生じる冷却された熱伝達流体を、前記液体乾燥剤を冷却するために使用される前記乾燥剤空調システムの前記コンディショナに移送し、（ｉｉｉ）日中、前記コンディショナで使用される前記冷却された熱伝達流体で前記タンクを充填するステップと、
（ｃ）ステップ（ａ）およびステップ（ｂ）を定期的に繰り返すステップと、
を含む方法。
＜付記２７０＞
前記太陽熱システムが、太陽光―熱（ＰＶＴ）モジュールの一部であり、前記方法が、前記ＰＶＴモジュールを使用して前記乾燥剤空調システムを操作するために使用される電気を発電することをさらに含む、付記２６９に記載の方法。
＜付記２７１＞
寒気運転モードで、
（ｄ）日中に、（ｉ）加熱された熱伝達流体を収容する前記タンクの１つまたは複数から、前記液体乾燥剤を加熱するために使用される前記乾燥剤空調システムの前記コンディショナに加熱された熱伝達流体を移送し、（ｉｉ）前記太陽熱暖房システムを使用して熱伝達流体を加熱し、前記結果として生じる加熱された熱伝達流体を、液体乾燥剤を加熱するために使用される前記乾燥剤空調システムの前記コンディショナに移送し、（ｉｉｉ）夜間に、前記コンディショナで使用される前記加熱された熱伝達流体で前記タンクを充填するステップと、
（ｅ）夜間に、（ｉ）加熱された熱伝達流体を収容する前記タンクの１つまたは複数から、前記液体乾燥剤を加熱するために使用される前記乾燥剤空調システムの前記コンディショナに、加熱された熱伝達流体を移送するステップと、
（ｆ）ステップ（ｄ）およびステップ（ｅ）を敵的に繰り返すステップと、
をさらに含む、付記２６９に記載の方法。
＜付記２７２＞
前記熱伝達流体が、前記太陽熱暖房システムを使用して約１５０°Ｆの温度まで加熱される、付記２６９に記載の方法。
＜付記２７３＞
前記熱伝達流体が、ほぼ前記周囲空気温度まで夜間に冷却される、付記２６９に記載の方法。
＜付記２７４＞
建物空間に進入する気流を処理するための乾燥剤空調システムであって、
暖気動作モードで前記気流を除湿するため、および寒気運転モードで前記気流を加湿するための液体乾燥剤を活用するコンディショナと、
前記コンディショナに接続された、前記コンディショナから前記液体乾燥剤を受け取るためのリジェネレータであって、前記リジェネレータは、前記液体乾燥剤に、暖気運転モードで水を脱着させ、寒気運転モードで水を吸収させる、リジェネレータと、
熱伝達流体を加熱または冷却するための態様熱システムと、
前記熱伝達流体を補完するための１つまたは複数のタンクと、
前記コンディショナを通って前記気流を移動するための装置と、
前記コンディショナおよび前記リジェネレータを通して前記液体乾燥剤を循環させるための装置と、
前記コンディショナ、前記リジェネレータ、前記太陽熱システム、および前記１つまたは複数のタンクの間で前記熱伝達流体を循環させるための装置と、
を備え、
前記乾燥剤空調システムが、
（ａ）日中に、（ｉ）常温の熱伝達流体を収容する前記タンクの１つまたは複数から、前記液体乾燥剤を冷却するために使用される前記乾燥剤空調システムの前記コンディショナに常温の熱伝達流体を移送し、（ｉｉ）前記太陽熱暖房システムを使用して前記熱伝達流体を加熱し、前記結果として生じる加熱された熱伝達流体を、液体乾燥剤を加熱するために使用される前記乾燥剤空調システムの前記リジェネレータに移送し、（ｉｉｉ）夜間に、前記リジェネレータで使用される前記加熱された熱伝達流体で前記タンクを充填し、
（ｂ）夜間に、（ｉ）加熱された熱伝達流体を収容する前記タンクの１つまたは複数から、前記液体乾燥剤を加熱するために使用される前記乾燥剤空調システムの前記リジェネレータに加熱された熱伝達流体を移送し、（ｉｉ）前記太陽熱暖房システムを使用して前記熱伝達流体から熱を放射し、前記結果として生じる冷却された熱伝達流体を、前記液体乾燥剤を冷却するために使用される前記乾燥剤空調システムの前記コンディショナに移送し、（ｉｉｉ）日中、前記コンディショナで使用される前記冷却された熱伝達流体で前記タンクを充填し、
（ｃ）ステップ（ａ）およびステップ（ｂ）を定期的に繰り返す、
ように構成される、乾燥剤空調システム。
＜付記２７５＞
前記太陽熱システムが、前記乾燥剤空調システムを操作するために使用される電気を発電する１つまたは複数の太陽光―熱（ＰＶＴ）モジュールの一部である、付記２７４に記載の乾燥剤空調システム。
＜付記２７６＞
前記システムが、寒気運転モードで、
（ｄ）日中に、（ｉ）加熱された熱伝達流体を収容する前記タンクの１つまたは複数から、液体乾燥剤を加熱するために使用される前記乾燥剤空調システムの前記コンディショナに加熱された熱伝達流体を移送し、（ｉｉ）前記太陽熱暖房システムを使用して前記熱伝達流体を加熱し、前記結果として生じる加熱された熱伝達流体を、液体乾燥剤を加熱するために使用される前記乾燥剤空調システムの前記コンディショナに移送し、（ｉｉｉ）夜間に、前記コンディショナで使用される前記加熱された熱伝達流体で前記タンクを充填し、
（ｅ）夜間に、（ｉ）加熱された熱伝達流体を収容する前記タンクの１つまたは複数から、前記液体乾燥剤を加熱するために使用される前記乾燥剤空調システムの前記コンディショナに、加熱された熱伝達流体を移送し、
（ｆ）（ｄ）および（ｅ）を定期的に繰り返す、
ように構成される、付記２７４に記載の乾燥剤空調システム。
＜付記２７７＞
前記熱伝達流体が、前記太陽熱暖房システムを使用して約１５０°Ｆの温度まで加熱される、付記２７４に記載の乾燥剤空調システム。
＜付記２７８＞
前記熱伝達流体が、ほぼ前記周囲空気温度まで夜間に冷却される、付記２７４に記載の乾燥剤空調システム。
＜付記２７９＞
太陽光―熱（ＰＶＴ）モジュールであって、
光起電力材料の層を含む太陽光電池モジュールであって、光起電力材料の前記層が、入射放射線に露呈される前側および反対の裏側を有する、太陽光電池モジュールと、
光起電力材料の前記層の前記裏側に熱的に結合される熱ユニットであって、前記熱ユニットが、液体が通って流れる１つまたは複数のチャネルを含み、前記入射放射線の一部が、光起電力材料の前記層によって電気に変換され、前記入射放射線の一部が前記液体の前記温度を上昇させるための熱に同時に変換される、熱ユニットと、
前記熱ユニットによって加熱される液体を保管するための、前記熱ユニットの真下の保管タンクであって、前記保管タンクが、設置された位置で前記ＰＶＴモジュールを安定化するためのバラストとして機能する、保管タンクと、
を備える太陽光―熱（ＰＶＴ）モジュール。
＜付記２８０＞
前記保管タンクが、実質的に平坦な構造を有する、付記２７９に記載の太陽光―熱（ＰＶＴ）モジュール。
＜付記２８１＞
前記液体の温度に応じて、前記太陽光―熱モジュールの中からの、または前記保管タンクへの、前記熱ユニットによって加熱される前記液体の前記流れを制御するための温度調節弁アセンブリをさらに備える、付記２７９に記載の太陽光―熱モジュール。
＜付記２８２＞
前記温度調節弁動作がプログラム可能である、付記２８１に記載の太陽光―熱モジュール。
＜付記２８３＞
前記太陽光電池モジュールおよび前記熱ユニットが、前記保管タンク上で切り離し自在に取り付けられ、前記保管タンクが、前記太陽光―熱モジュールが分解された状態にあるときに、前記太陽光電池モジュールおよび前記熱ユニットを保管するように構成される、付記２７９に記載の太陽光―熱モジュール。
＜付記２８４＞
前記保管タンクが、前記太陽光電池モジュールおよび前記熱ユニットを挿入する、または除去するために開くことができる蓋を含む、付記２８３に記載の太陽光―熱モジュール。
＜付記２８５＞
前記保管タンク上に、前記太陽光電池モジュールおよび前記熱ユニットを取り付けるための取り外し可能な支持物をさらに備える、付記２８３に記載の太陽光―熱モジュール。
＜付記２８６＞
太陽光―熱（ＰＶＴ）モジュールであって、
光起電力材料の層を含む太陽光電池モジュールであって、光起電力材料の前記層が、入射放射線に露呈される前側および反対の裏側を有する、太陽光電池モジュールと、
光起電力材料の前記層の前記裏側に熱的に結合される熱ユニットであって、前記熱ユニットが、液体が通って流れる１つまたは複数のチャネルを含み、前記入射放射線の一部が、光起電力材料の前記層によって電気に変換され、前記入射放射線の一部が前記液体の前記温度を上昇させるための熱に同時に変換される、熱ユニットと、
前記熱ユニットによって加熱される液体を保管するための、前記熱ユニットの真下の保管タンクであって、前記太陽光電池モジュールおよび前記熱ユニットが、前記保管タンク上で切り離し自在に取り付けられ、前記保管タンクが、前記太陽光―熱モジュールが分解された状態にあるときに前記太陽光電池モジュールおよび前記熱ユニットを保管するように構成される、保管タンクと、
を備える太陽光―熱（ＰＶＴ）モジュール。
＜付記２８７＞
前記保管タンクが実質的に平坦な構成を有する、付記２８６に記載の太陽光―熱モジュール。
＜付記２８８＞
前記液体の温度に応じて、前記太陽光―熱モジュールの中からの、または前記保管タンクへの、前記熱ユニットによって加熱される前記液体の前記流れを制御するための温度調節弁アセンブリをさらに備える、付記２８６に記載の太陽光―熱モジュール。
＜付記２８９＞
前記温度調節弁動作がプログラム可能である、付記２８８に記載の太陽光―熱モジュール。
＜付記２９０＞
前記保管タンクが、設置位置で前記ＰＶＴモジュールを安定化するためのバラストとして機能する、付記２８６に記載の太陽光―熱モジュール。
＜付記２９１＞
前記保管タンクが、前記太陽光電池モジュールおよび前記熱ユニットを挿入する、または除去するために開くことができる蓋を含む、付記２８６に記載の太陽光―熱モジュール。
＜付記２９２＞
前記保管タンク上に、前記太陽光電池モジュールおよび前記熱ユニットを取り付けるための取り外し可能な支持物をさらに備える、付記２８６に記載の太陽光―熱モジュール。
＜付記２９３＞
太陽光―熱（ＰＶＴ）モジュールを分解し、収容する方法であって、前記ＰＶＴモジュールは、１つまたは複数の太陽電池の層を含む太陽光電池モジュールと、１つまたは複数の太陽電池の前記層の裏側に熱的に結合される熱ユニットと、前記熱ユニットによって加熱される液体を保管するための、前記熱ユニットの真下の保管タンクとを備え、
前記保管タンクから前記太陽光電池モジュールおよび前記熱ユニットを切り離すことと、
保管のために、前記保管タンク内部に前記太陽光電池モジュールおよび前記熱ユニットを設置することと、
を含む方法。
＜付記２９４＞
建物空間に進入する気流を処理するための乾燥剤空調システムであって、
実質的に垂直向きで配置される複数の構造体を含むコンディショナであって、各構造体は、前記液体乾燥剤が横切って流れることができる少なくとも１つの表面を有し、前記気流は、前記液体乾燥剤が暖気運転モードで前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
前記コンディショナに接続され、前記暖気運転モードで蒸発チラーとして機能するように構成される空気処理装置であって、前記蒸発チラーが、前記熱伝達流体を受け取り、冷却し、前記蒸発チラーが、前記コンディショナを出る前記除湿された空気流および前記コンディショナからの前記熱伝達流体の少なくとも一部を受け取り、前記蒸発チラーが、前記除湿された気流の前記部分に、水源から水を吸収させ、それによって前記熱伝達流体を冷却させるように構成される、空気処理装置と、
前記コンディショナ内で前記乾燥剤コレクタから液体乾燥剤を受け取り、前記暖気運転モードで前記液体乾燥剤から水を吸収するための、前記コンディショナに接続されたリジェネレータと、
前記暖気運転モードで、前記コンディショナおよび前記蒸発チラーを通して前記気流を移動するための装置と、
前記暖気運転モードで、前記コンディショナおよび前記蒸発チラーを通して前記熱伝達流体を循環させるための装置と、
前記コンディショナおよび前記リジェネレータを通して前記液体乾燥剤を循環させるための装置と、
を備える乾燥剤空調システム。
＜付記２９５＞
前記建物空間からの還気が、前記リジェネレータを通って流れ、前記液体乾燥剤から水を吸収する、付記２９４に記載の乾燥剤空調システム。
＜付記２９６＞
前記気流を移動するための前記装置が、前記コンディショナから前記蒸発チラーへ迂回される前記気流の前記量を制御し、前記建物空間に進入する前記気流の前記温度を調整するための機構をさらに備える、付記２９４に記載の乾燥剤空調システム。
＜付記２９７＞
前記乾燥剤空調システムで使用される電力を発電するため、および夜に前記熱伝達流体から熱を放射することによって前記コンディショナで使用される前記熱伝達流体を冷却するための、前記コンディショナに接続された太陽光―熱（ＰＶＴ）モジュールをさらに備え、前記ＰＶＴモジュールによって冷却される前記熱伝達流体を保管するためのタンクをさらに備える、付記２９４に記載の乾燥剤空調システム。
＜付記２９８＞
前記乾燥剤空調システムを操作する際に使用される電力を発電するため、および日中、前記リジェネレータで活用される熱伝達流体を加熱するための、前記リジェネレータに接続された第１の太陽光―熱（ＰＶＴ）モジュールをさらに備え、前記第１のＰＶＴモジュールによって加熱される前記熱伝達流体を保管するためのタンクをさらに備える、付記２９４に記載の乾燥剤空調システム。
＜付記２９９＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２９４に記載の乾燥剤空調システム。
＜付記３００＞
前記コンディショナおよび前記空気処理装置が、寒気運転モードで前記気流を加熱し、加湿するように構成され、前記リジェネレータが水を加熱し、前記寒気運転モードで水を前記液体乾燥剤に加えるように構成される、付記２９４に記載の乾燥剤空調システム。
＜付記３０１＞
前記寒気運転モードで前記コンディショナ内の前記熱伝達流体を加熱するための加熱器をさらに備える、付記３００に記載の乾燥剤空調システム。
＜付記３０２＞
前記寒気運転モードで前記コンディショナまたは前記空気処理装置に進入する気流を加熱するための１台または複数の予熱器をさらに備える、付記３００に記載の乾燥剤空調システム。
＜付記３０３＞
前記空気処理装置が、実質的に垂直向きで配置される複数の構造体を備え、各構造体は、前記液体乾燥剤が横切って流れることができる少なくとも１つの表面を有し、前記気流は、前記液体乾燥剤が前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記２９４に記載の乾燥剤空調システム。
＜付記３０４＞
前記複数の構造体のそれぞれが、熱伝達流体が通って流れることができる通路を含み、前記熱伝達流体を冷却するための低熱源をさらに備える、付記２９４に記載の乾燥剤空調システム。
＜付記３０５＞
前記液体乾燥剤および前記熱伝達流体が、前記コンディショナ内で一般に反対方向で流れる、付記３０４に記載の乾燥剤空調システム。
＜付記３０６＞
前記複数の構造体が、前記温度勾配に一般的に平行である方向で自由に膨張または収縮し、前記構造体に対する熱誘導応力を緩和できるように、前記複数の構造体が、前記コンディショナ内で確保される、付記２９４に記載の乾燥剤空調システム。
＜付記３０７＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２９４に記載の乾燥剤空調システム。
＜付記３０８＞
前記液体乾燥剤の前記表面張力および材料の前記シートの特性が、前記液体乾燥剤の乾燥剤コレクタへの移送を容易にする、付記３０７に記載の乾燥剤空調システム。
＜付記３０９＞
各構造体で、材料の前記シートの下縁が、液体乾燥剤の圧力上昇を削減するために、前記構造体の下位部に固定して接続されていない、付記３０７に記載の乾燥剤空調システム。
＜付記３１０＞
材料の前記シートが、膜または親水性材料を備える、付記３０７に記載の乾燥剤空調システム。
＜付記３１１＞
材料の前記シートが、疎水性微細孔膜を備える、付記３０７に記載の乾燥剤空調システム。
＜付記３１２＞
材料の前記シートが、疎水性材料の層および親水性材料の層を、前記疎水性材料と前記構造体の前記少なくとも１つの表面との間に備える、付記３０７に記載のシステム。
＜付記３１３＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３０７に記載の乾燥剤空調システム。
＜付記３１４＞
各構造体が、熱伝達流体が、前記熱伝達流体と前記液体乾燥剤または前記気流との間で熱の伝達のために流れることができる内部通路を含む、付記３１３に記載の乾燥剤空調システム。
＜付記３１５＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３０７に記載の乾燥剤空調システム。
＜付記３１６＞
前記複数の構造体が、実質的に垂直向きで配置され、離間される複数のプレートアセンブリを備え、隣接するプレートアセンブリ間での前記気流の流れを可能にする、付記２９４に記載の乾燥剤空調システム。
＜付記３１７＞
各プレートアセンブリが、入り組んだプレートを含む、付記３１６に記載の乾燥剤空調システム。
＜付記３１８＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記２９４に記載の乾燥剤空調システム。
＜付記３１９＞
前記コンディショナ内の前記構造体を通って、または前記構造体の間を流れる前記気流で乱流を引き起こすための装置をさらに備える、付記２９４に記載の乾燥剤空調システム。
＜付記３２０＞
各構造体が、熱伝導性プラスチック材料を備える、付記２９４に記載の乾燥剤空調システム。
＜付記３２１＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を脱着させ、各構造体が、前記構造体の下端に、前記構造体の前記少なくとも１つの表面を横切って流れた液体乾燥剤を収集するための乾燥剤コレクタをさらに含む、付記２９４に記載の乾燥剤空調システム。
＜付記３２２＞
前記構造体が、前記温度勾配に一般的に平行である方向で自由に膨張または収縮し、前記構造体に対する熱誘導応力を緩和できるように、前記複数の構造体が、前記コンディショナ内で確保される、付記３２１に記載の乾燥剤空調システム。
＜付記３２３＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記３２１に記載の乾燥剤空調システム。
＜付記３２４＞
前記液体乾燥剤の前記表面張力および材料の前記シートの特性が、前記液体乾燥剤の乾燥剤コレクタへの移送を容易にする、付記３２３に記載の乾燥剤空調システム。
＜付記３２５＞
各構造体で、材料の前記シートの下縁が、液体乾燥剤の圧力上昇を削減するために、前記構造体の下位部に固定して接続されていない、付記３２３に記載の乾燥剤空調システム。
＜付記３２６＞
材料の前記シートが、膜または親水性材料を備える、付記３２３に記載の乾燥剤空調システム。
＜付記３２７＞
材料の前記シートが、疎水性微細孔膜を備える、付記３２３に記載の乾燥剤空調システム。
＜付記３２８＞
材料の前記シートが、疎水性材料の層および親水性材料の層を、前記疎水性材料と前記構造体の前記少なくとも１つの表面との間に備える、付記３２３に記載のシステム。
＜付記３２９＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水静材料の内層を備える、付記３２３に記載の乾燥剤空調システム。
＜付記３３０＞
各構造体が、熱伝達流体が、前記熱伝達流体と前記液体乾燥剤または前記気流との間で熱の伝達のために流れることができる内部通路を含む、付記３２９に記載の乾燥剤空調システム。
＜付記３３１＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３２３に記載の乾燥剤空調システム。
＜付記３３２＞
前記リジェネレータ内の前記複数の構造体が、実質的に垂直向きで配置され、離間される複数のプレートアセンブリを備え、隣接するプレートアセンブリ間での前記気流の流れを可能にする、付記３２１に記載の乾燥剤空調システム。
＜付記３３３＞
各プレートアセンブリが、入り組んだプレートを含む、付記３３２に記載の乾燥剤空調システム。
＜付記３３４＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３２１に記載の乾燥剤空調システム。
＜付記３３５＞
前記建物空間に進入する前記気流が、前記コンディショナを通る一般に水平方向で流、前記建物空間からの還気流または外気が前記リジェネレータを通って一般に水平方向で流れる、付記２９４に記載の乾燥剤空調システム。
＜付記３３６＞
前記建物空間に進入する前記気流が、前記コンディショナを通って一般に垂直方向で流れ、前記建物空間からの還気流または外気が前記リジェネレータを通って一般に垂直方向で流れる、付記２９４に記載の乾燥剤空調システム。
＜付記３３７＞
前記蒸発チラーが、実質的に垂直向きで配置され、構造体を通って、または前記構造体の間で前記除湿された気流の流れを可能にするように構成される複数の前記構造体を含み、各構造体が、前記熱伝達流体が流れることができる内部通路を有し、各構造体が、前記水源からの前記水が、前記除湿された気流が水を吸収し、それによって前記熱伝達流体を冷却するように横切って流れることができる外面も含み、各構造体が、前記構造体の下端に、各構造体の前記外面全体で流れた水を収集するための水コレクタをさらに含む、付記２９４に記載の乾燥剤空調システム。
＜付記３３８＞
前記除湿された気流が、前記構造体を通ってまたは前記構造体の間で実質的に水平方向に流れるように向けられる、付記３３７に記載の乾燥剤空調システム。
＜付記３３９＞
前記リジェネレータおよび前記コンディショナが物理的に分離され、分割空調システムを形成する、付記２９４に記載の乾燥剤空調システム。
＜付記３４０＞
前記建物空間に１つまたは複数の液体対空気熱交換器をさらに備え、前記１つまたは複数の液体対空気熱交換器が、前記蒸発チラーから冷却された熱伝達流体を受け取り、顕熱空間冷却を提供するように構成される、付記２９４に記載の乾燥剤空調システム。
＜付記３４１＞
前記液体対空気熱交換器が、天井パネルまたはファンコイルを備える、付記２９４に記載の乾燥剤空調システム。
＜付記３４２＞
建物空間に進入する気流を処理するための方法であって、
実質的に垂直向きで配置された複数の構造体を含むコンディショナを提供するステップであって、各構造体が外面を含み、各構造体が前記入り組んだプレート構造体の下端に乾燥剤コレクタをさらに含む、提供するステップと、
各構造体の前記外面を横切って液体乾燥剤を流し、前記乾燥剤コレクタに液体乾燥剤を収集するステップと、
前記液体乾燥剤が暖気運転モードで前記気流を除湿するように、前記構造体の間を、または前記構造体を通って前記気流を流すステップと、
前記コンディショナで使用される前記熱伝達流体を冷却するための前記暖気運転モードで蒸発チラーとして働く空気処理装置で使用するための、前記コンディショナを出る前記除湿された気流の一部を迂回させるステップと、
前記コンディショナ内の前記乾燥剤コレクタから液体乾燥剤を受け取り、前記液体乾燥剤から水を吸収するステップと、
を含む方法。
＜付記３４３＞
各構造体が内部通路を含み、前記方法が、各構造体で内部通路を通して熱伝達流体を流すことをさらに含む、付記３４２に記載の方法。
＜付記３４４＞
前記建物空間からの還気を活用し、前記液体乾燥剤から水を吸収することをさらに含む、付記３４２に記載の方法。
＜付記３４５＞
前記コンディショナから迂回される前記除湿された気流の前記量を変え、前記建物空間に進入する前記気流の前記温度を調整することをさらに含む、付記３４２に記載の方法。
＜付記３４６＞
タンク内に前記液体乾燥剤を置くことと、
前記液体乾燥剤が、前記タンクの前記高さに沿って濃度が変化するように、前記液体乾燥剤が沈殿できるようにすることと、
所与の濃度を有する液体乾燥剤を入手するために、前記タンクの所与の選択された高さで、前記タンクから液体乾燥剤を引き出すことと、
をさらに含む、付記３４２に記載の方法。
＜付記３４７＞
寒気運転モードで、前記方法は、前記気流を加湿するための前記液体乾燥剤、ならびに前記コンディショナで、および前記空気処理装置で前記液体乾燥剤を加熱するための熱伝達流体を活用することをさらに含む、付記３４２に記載の方法。
＜付記３４８＞
前記コンディショナで前記熱伝達流体を加熱することをさらに含む、付記３４７に記載の方法。
＜付記３４９＞
前記コンディショナまたは前記空気処理装置に進入する前記気流を予熱することをさらに含む、付記３４７に記載の方法。
＜付記３５０＞
前記構造体に進入する前記気流内で乱流を引き起こすことをさらに含む、付記３４２に記載の方法。
＜付記３５１＞
前記蒸発チラーから冷却された熱伝達流体を移し、建物空間内の１つまたは複数の液体対空気熱交換器、顕熱空間冷却を提供することをさらに含む、付記３４２に記載の方法。
＜付記３５２＞
乾燥剤空調システムで使用するための装置であって、
前記空調システムで使用される液体乾燥剤を保管するためのタンクであって、前記液体乾燥剤が、前記タンクの前記高さに沿って濃度が変化する、タンクと、
所与の濃度を有する液体乾燥剤を入手するために、前記タンクから異なる選択された高さで液体乾燥剤を引き出すための機構と、
を備える装置。
＜付記３５３＞
前記機構が、垂直に調整可能な排水装置を備える、付記３５２に記載の方法。
＜付記３５４＞
乾燥剤空調システムで使用するための液体乾燥剤を入手する方法であって、
タンク内に前記液体乾燥剤を置くステップと、
前記液体乾燥剤が、前記タンクの前記高さに沿って濃度が変化するように、前記液体乾燥剤が沈殿できるようにするステップと、
所与の濃度を有する液体乾燥剤を入手するために、前記タンクの所与の選択された高さで、前記タンクから液体乾燥剤を引き出すステップと、
を含む方法。
＜付記３５５＞
水回収システムであって、
一般に密封されたエンクロージャと、
前記エンクロージャ内の第１の空気処理装置であって、前記第１の空気処理装置が液体乾燥剤から水蒸気を引き出し、前記水蒸気を、前記空気処理装置を通って流れる気流に移すように構成され、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
前記第１の空気処理装置と前記第２の空気処理装置との間で空気を循環させるための機構と、
を備える、水回収システム。
＜付記３５６＞
前記液体乾燥剤を加熱するための熱源をさらに備える、付記３５５に記載のシステム。
＜付記３５７＞
前記複数の構造体のそれぞれが、熱伝達流体が通って流れることができる通路を含み、前記熱伝達流体を加熱するための熱源をさらに備える、付記３５５に記載のシステム。
＜付記３５８＞
前記液体乾燥剤および前記熱伝達流体が、前記第１の空気処理装置内で一般に反対方向で流れる、付記３５７に記載のシステム。
＜付記３５９＞
前記構造体が、前記温度勾配に一般的に平行である方向で自由に膨張または収縮し、前記構造体に対する熱誘導応力を緩和できるように、前記複数の構造体が、前記第１の空気処理装置内で確保される、付記３５５に記載のシステム。
＜付記３６０＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記３５５に記載のシステム。
＜付記３６１＞
前記液体乾燥剤の前記表面張力および材料の前記シートの特性が、前記液体乾燥剤の乾燥剤コレクタへの移送を容易にする、付記３６０に記載のシステム。
＜付記３６２＞
各構造体で、材料の前記シートの下縁が、液体乾燥剤の圧力上昇を削減するために、前記構造体の下位部に固定して接続されていない、付記３６０に記載のシステム。
＜付記３６３＞
材料の前記シートが、膜または親水性材料を備える、付記３６０に記載のシステム。
＜付記３６４＞
材料の前記シートが、疎水性微細孔膜を備える、付記３６０に記載のシステム。
＜付記３６５＞
材料の前記シートが、疎水性材料の層および親水性材料の層を、前記疎水性材料と前記構造体の前記少なくとも１つの表面との間に備える、付記３６０に記載のシステム。
＜付記３６６＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３６０に記載のシステム。
＜付記３６７＞
各構造体が、熱伝達流体が、前記熱伝達流体と前記液体乾燥剤または前記気流との間で熱の伝達のために流れることができる内部通路を含む、付記３６６に記載のシステム。
＜付記３６８＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３６０に記載のシステム。
＜付記３６９＞
前記複数の構造体が、実質的に垂直向きで配置され、離間される複数のプレートアセンブリを備え、隣接するプレートアセンブリ間での前記気流の流れを可能にする、付記３５５に記載のシステム。
＜付記３７０＞
各プレートアセンブリが、入り組んだプレートを含む、付記３６９に記載のシステム。
＜付記３７１＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３５５に記載のシステム。
＜付記３７２＞
前記第１の空気処理装置内の前記構造体を通って、または前記構造体の間を流れる前記気流で乱流を引き起こすための装置をさらに備える、付記３５５に記載のシステム。
＜付記３７３＞
各構造体が、熱伝導性プラスチック材料を備える、付記３５５に記載のシステム。
＜付記３７４＞
前記第１の空気処理装置で使用される前記液体乾燥剤を保管するための、前記コンディショナに接続されたタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記３５５に記載のシステム。
＜付記３７５＞
前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、付記３５５に記載のシステム。
＜付記３７６＞
前記構造体を冷却するための低熱源をさらに備える、付記３７５に記載のシステム。
＜付記３７７＞
前記第２の空気処理装置内の前記複数の構造体のそれぞれが、熱伝達流体が通って流れることができる通路を含み、前記熱伝達流体を冷却するための低熱源をさらに備える、付記３７５に記載の乾燥剤空調システム。
＜付記３７８＞
前記構造体が、前記温度勾配に一般的に平行である方向で自由に膨張または収縮し、前記構造体に対する熱誘導応力を緩和できるように、前記複数の構造体が、前記第２の空気処理装置内で確保される、付記３７８に記載のシステム。
＜付記３７９＞
空気を循環させるための前記機構が、１つまたは複数のブロワを備える、付記３５５に記載のシステム。
＜付記３８０＞
前記エンクロージャ内部で空気圧を削減するための前記エンクロージャに接続された真空ポンプをさらに備える、付記３５に記載のシステム。
＜付記３８１＞
前記第２の空気処理装置に進入する前記気流から、前記第１の空気処理装置に進入する前記気流に熱を伝達するための熱交換器をさらに備える、付記３５５に記載のシステム。
＜付記３８２＞
液状水分を生成するための方法であって、
液体乾燥剤ソースから液体乾燥剤を提供することと、
一般に密封されたエンクロージャ内の第１の空気処理装置内で気流を加湿することであって、前記第１の空気処理装置が、実質的に垂直向きで配置される複数の構造体を含み、各構造体が、前記液体乾燥剤が横切って流れることができる少なくとも１つの表面を有し、前記方法が、前記構造体の間でまたは前記構造体を通して前記気流を流し、前記液体乾燥剤から引き出される水蒸気で前記気流を加湿することと、
前記第１の処理装置から、やはり一般に密封されたエンクロージャ内の第２の処理装置に前記気流を移すことと、
前記第２の空気処理装置で前記気流中の前記水蒸気の凝縮を引き起こし、前記エンクロージャの外部で移すことができる液状水分を生成することと、
を含む方法。
＜付記３８３＞
前記液体管掃除を加熱することをさらに備える、付記３８２に記載の方法。
＜付記３８４＞
前記複数の構造体のそれぞれが、熱伝達流体が通って流れることができる通路を含み、前記方法が、前記通路を通って熱伝達流体を流し、前記熱伝達流体を加熱することをさらに含む、付記３８２に記載の乾燥剤空調システム。
＜付記３８５＞
前記液体乾燥剤および前記熱伝達竜外または一般に反対方向で流れる理由、付記３８４に記載の方法。
＜付記３８６＞
前記第２の空気処理装置が、実質的に垂直線で配置される複数の構造対を含み、各構造体が表面を含み、前記方法が、前記気流中の前記水蒸気が前記表面で凝縮するように、前記構造体の間を、または前記構造体を通って前記気流を流すことをさらに含む、付記３８２に記載の方法。
＜付記３８７＞
前記構造体を冷却することをさらに含む、付記３８６に記載の方法。
＜付記３８８＞
前記第２の空気処理装置内の前記複数の構造体のそれぞれが、熱伝達流体が通って流れることができる通路を含み、前記方法が、前記熱伝達流体を冷却することをさらに含む、付記３８６に記載の方法。
＜付記３８９＞
前記構造体が、前記温度勾配に一般的に平行である方向で自由に膨張または収縮し、前記構造体に対する熱誘導応力を緩和できるように、前記複数の構造体が、前記第２の空気処理装置内で確保される、付記３８６に記載のシステム。
＜付記３９０＞
前記第２の空気処理装置に進入する前記気流から、前記第１の空気処理装置に進入する前記気流に熱を伝達することをさらに含む、付記３８２に記載のシステム。
＜付記３９１＞
前記構造体に進入する前記気流内で乱流を引き起こすことをさらに含む、付記３８２に記載の方法。
＜付記３９２＞
乾燥剤空調および水回収システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
水回収システムであって、
（ａ）一般に密封されたエンクロージャと、
（ｂ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
（ｃ）前記第１の空気処理装置を出る前記気流を受け取る、前記エンクロージャ内の第２の空気処理装置であって、前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、第２の空気処理装置と、
（ｄ）前記第１の空気処理装置と前記第２の空気処理装置との間で空気を循環させるための機構と、
を備える、水回収システムと、
前記コンディショナと前記第１の空気処理装置との間で前記液体乾燥剤を循環させるための装置と、
を備える、乾燥剤空調および水回収システム。
＜付記３９３＞
前記コンディショナで使用される前記液体乾燥剤を冷却するための低熱源をさらに備える、付記３９２に記載の乾燥剤空調システム。
＜付記３９４＞
前記コンディショナ内の前記複数の構造体のそれぞれが、熱伝達流体が通って流れることができる通路を含み、前記熱伝達流体を冷却するための低熱源をさらに備える、付記３９２に記載の乾燥剤空調システム。
＜付記３９５＞
前記液体乾燥剤および前記熱伝達流体が、前記コンディショナ内で一般に反対方向で流れる、付記３９４の乾燥剤空調システム。
＜付記３９６＞
前記第１の空気処理装置で前記液体乾燥剤を加熱するための熱源をさらに備える、付記３９２に記載のシステム。
＜付記３９７＞
前記第１の空気処理装置内の前記複数の構造体のそれぞれが、熱伝達流体が通って流れることができる通路を含み、前記熱伝達流体を加熱するための熱源をさらに備える、付記３９２に記載のシステム。
＜付記３９８＞
前記液体乾燥剤および前記熱伝達流体が、前記第１の空気処理装置内で一般に反対方向で流れる、付記３９７に記載のシステム。
＜付記３９９＞
前記第２の空気処理装置で前記構造体を冷却するための低熱源をさらに備える、付記３９２に記載のシステム。
＜付記４００＞
前記第２の空気処理装置内の前記複数の構造体のそれぞれが、熱伝達流体が通って流れることができる通路を含み、前記熱伝達流体を冷却するための低熱源をさらに備える、付記３９２に記載のシステム。
＜付記４０１＞
前記コンディショナと前記第２の空気処理システムとの間で熱伝達流体を循環させるための装置をさらに備える、付記３９２に記載のシステム。
＜付記４０２＞
空気を循環させるための前記機構が、１つまたは複数のブロワを備える、付記３９２に記載のシステム。
＜付記４０３＞
前記エンクロージャ内部の空気圧を削減するための、前記エンクロージャに接続された真空ポンプをさらに備える、付記３９２に記載のシステム。
＜付記４０４＞
前記第２の空気処理装置に進入する前記気流から、前記第１の空調装置に進入する前記気流に熱を伝達するための熱交換器をさらに備える、付記３９２に記載のシステム。
＜付記４０５＞
前記第１の空気処理装置および前記コンディショナが、前記液体乾燥剤と前記気流との間の各構造体の前記表面に近位に位置決めされる材料のシートをさらに備え、材料の前記シートが、乾燥剤コレクタの中に前記液体乾燥剤を誘導し、前記液体乾燥剤から前記気流への水蒸気の移送を可能にする、付記３９２に記載のシステム。
＜付記４０６＞
液体乾燥剤の前記表面張力および材料の前記シートの特性が、前記液体乾燥剤の乾燥剤コレクタへの移送を容易にする、付記４０５に記載のシステム。
＜付記４０７＞
各構造体で、材料の前記シートの下縁が、液体乾燥剤の圧力上昇を削減するために、前記構造体の下位部に固定して接続されていない、付記４０５に記載のシステム。
＜付記４０８＞
材料の前記シートが、膜または親水性材料を備える、付記４０５に記載のシステム。
＜付記４０９＞
材料の前記シートが、疎水性微細孔膜を備える、付記４０５に記載のシステム。
＜付記４１０＞
材料の前記シートが、疎水性材料の層および親水性材料の層を、前記疎水性材料と前記構造体の前記少なくとも１つの表面との間に備える、付記４０５に記載のシステム。
＜付記４１１＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４０５記載のシステム。
＜付記４１２＞
各構造体が、熱伝達流体が、前記熱伝達流体と前記液体乾燥剤または前記気流との間で熱の伝達のために流れることができる内部通路を含む、付記４１１に記載のシステム。
＜付記４１３＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４０５に記載のシステム。
＜付記４１４＞
前記複数の構造体が、実質的に垂直向きで配置され、離間される複数のプレートアセンブリを備え、隣接するプレートアセンブリ間での前記気流の流れを可能にする、付記３９２に記載のシステム。
＜付記４１５＞
各プレートアセンブリが、入り組んだプレートを含む、付記４１４に記載のシステム。
＜付記４１６＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３９２に記載のシステム。
＜付記４１７＞
各構造体が、熱伝導性プラスチック材料を備える、付記３９２に記載のシステム。
＜付記４１８＞
前記構造体に進入する前記気流内で乱流を引き起こすための装置をさらに備える、付記３９２に記載のシステム。
＜付記４１９＞
前記第１の空気処理装置から前記コンディショナに流れる前記液体乾燥剤から、前記コンディショナから前記第１の空気処理装置に流れる前記液体乾燥剤に、熱を伝達するための熱交換器をさらに備える、付記３９２に記載のシステム。
＜付記４２０＞
前記第１の空気処理装置内の前記暖房システムが、前記システムを操作し、前記熱伝達流体を加熱する際に使用される電力を発電するための太陽光―（ＰＶＴ）モジュールを含む、付記３９２に記載のシステム。
＜付記４２１＞
分離器をさらに備え、前記分離器が、前記コンディショナで使用される液体乾燥剤を保管するためのタンクを含み、前記液体乾燥剤が、前記タンクの前記高さに沿って濃度が変化し、前記分離器が、前記リジェネレータに低い乾燥剤濃度を有する液体乾燥剤を移し、前記コンディショナにより高い乾燥剤濃度を有する液体乾燥剤を移すように構成され、前記リジェネレータで処理される液体乾燥剤が前記タンクに移送される、付記３９２に記載のシステム。
＜付記４２２＞
前記水回収システムが、燃焼汚染物質を吸収するための１つまたは複数のフィルタをさらに備え、
前記システムが、前記第１の空気処理装置で使用される前記熱伝達流体を加熱するための暖房システムをさらに備え、前記暖房システムが、前記熱伝達流体を加熱するためのガス燃焼器を備え、前記ガス燃焼器が、水蒸気および前記コンディショナを通って流れる前記気流によって運ばれる燃焼汚染物質を生成し、前記コンディショナ内の前記液体乾燥剤が、前記水蒸気および前記燃焼汚染物質を吸収し、前記燃焼汚染物質を、それらが前記１つまたは複数のフィルタによって捕捉できる前記第１の空気処理装置に移送する、付記３９２に記載のシステム。
＜付記４２３＞
前記コンディショナで処理される前記気流が、温室効果ガスから受け取られる、付記４２２に記載のシステム。
＜付記４２４＞
建物空間に進入する気流を処理するための乾燥剤空調システムであって、
（ａ）実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
（ｂ）前記熱伝導流体を受け取り、冷却するための、前記コンディショナに接続された蒸発チラーであって、前記蒸発チラーが、前記コンディショナを出る前記除湿された気流の少なくとも一部を受け取り、前記蒸発チラーが、前記除湿された気流の前記部分に、水源から水を吸収させ、それによって前記熱伝達流体を冷却させるように構成される、蒸発チラーと、
（ｃ）水回収システムであって、
（ｉ）一般に密封されたエンクロージャと、
（ｉｉ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
（ｉｉｉ）前記第１の空気処理装置を出る前記気流を受け取る前記エンクロージャ内の第２の空気処理装置であって、前記第２の空気処理装置が構造体の間の、または前記構造体を通る前記気流の流れを可能にするように構成される、実質的に垂直向きで配置される複数の前記構造体を含み、各構造体が、前記気流中の前記水蒸気が液状水分に凝縮する表面を含み、前記液状水分が、前記蒸発チラーのための前記水源の少なくとも一部を備える、第２の空気処理装置と、
（ｉｖ）前記第１の空気処理装置と前記第２の空気処理装置との間で空気を循環させるための機構と、
を備える、水回収システムと、
前記第１の空気処理装置内の前記乾燥剤コレクタからの液体乾燥剤、および前記第２の空気処理装置からの加熱された熱伝達流体を受け取るための、前記コンディショナおよび前記水回収装置に接続されたリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通ってまたは前記構造体の間を流れ、前記液体乾燥剤に水を脱着させ、各構造体は、前記構造体の下端に、前記構造体の前記少なくとも１つの表面を横切って流れた液体乾燥剤を収集するための乾燥剤コレクタをさらに含み、前記リジェネレータが、前記コンディショナに前記液体乾燥剤を移送するように構成されたリジェネレータと、
前記コンディショナおよび前記蒸発チラーを通って前記気流を移動するための装置と、
前記コンディショナ、前記リジェネレータ、および前記第１の空気処理装置の間で前記液体乾燥剤を循環させるための装置と、
を備える乾燥剤空調システム。
＜付記４２５＞
前記コンディショナで使用される前記液体乾燥剤を冷却するための低熱源をさらに備える、付記４２４に記載の乾燥剤空調システム。
＜付記４２６＞
前記複数の構造体のそれぞれが、熱伝達流体が通って流れることができる通路を含み、前記熱伝達流体を冷却するための低熱源をさらに備える、付記４２４に記載の乾燥剤空調システム。
＜付記４２７＞
前記液体乾燥剤および前記熱伝達流体が、前記コンディショナ内で一般に反対方向で流れる、付記４２５に記載の乾燥剤空調システム。
＜付記４２８＞
前記コンディショナおよび前記蒸発チラーを通して、前記熱伝達流体を循環させるための装置をさらに備える、付記４２５に記載の乾燥剤空調システム。
＜付記４２９＞
前記第１の空気処理装置で前記液体乾燥剤を加熱するための熱源をさらに備える、付記４２４に記載の乾燥剤空調システム。
＜付記４３０＞
前記第１の空気処理装置内の前記複数の構造体のそれぞれが、熱伝達流体が通って流れることができる通路を含み、前記熱伝達流体を加熱するための熱源をさらに備える、付記４２４に記載の乾燥剤空調システム。
＜付記４３１＞
前記液体乾燥剤および前記熱伝達流体が、前記第１の空気処理装置内で一般に反対方向で流れる、付記３９に記載の乾燥剤空調システム。
＜付記４３２＞
前記第２の空気処理装置で前記構造体を冷却するための低熱源をさらに備える、付記４２４に記載の乾燥剤空調システム。
＜付記４３３＞
前記第２の空気処理装置内の前記複数の構造体のそれぞれが、熱伝達流体が通って
流れることができる通路を含み、前記熱伝達流体を冷却するための低熱源をさらに備える、付記４２４に記載の乾燥剤空調システム。
＜付記４３４＞
前記コンディショナから前記第２の空気処理装置に冷却された熱伝達流体を循環させるための装置をさらに備える、付記４２４に記載の乾燥剤空調システム。
＜付記４３５＞
前記リジェネレータで使用される前記液体乾燥剤を加熱するための熱源をさらに備える、付記４２４に記載の乾燥剤空調システム。
＜付記４３６＞
前記リジェネレータ内の前記複数の構造体のそれぞれが、熱伝達流体が通って流れることができる通路を含み、前記熱伝達流体を加熱するための熱源をさらに備える、付記４２４に記載の乾燥剤空調システム。
＜付記４３７＞
前記液体乾燥剤および前記熱伝達流体が、前記リジェネレータ内で一般に反対方向で流れる、付記４３６に記載の乾燥剤空調システム。
＜付記４３８＞
前記第２の空気処理装置と前記リジェネレータとの間で前記熱伝達流体を循環させるための装置をさらに備える、付記４３６に記載の乾燥剤空調システム。
＜付記４３９＞
空気を循環させるための前記機構が、１つまたは複数のブロワを備える、付記４２４に記載の乾燥剤空調システム。
＜付記４４０＞
前記エンクロージャ内部で空気圧を削減するための前記エンクロージャに接続された真空ポンプをさらに備える、付記４２４に記載の乾燥剤空調システム。
＜付記４４１＞
前記第２空気処理装置に進入する前記気流から、前記第１の空気処理装置に進入する前記気流へ熱を伝達するための熱交換器をさらに備える、付記４２４に記載の乾燥剤空調システム。
＜付記４４２＞
前記構造体が、前記温度勾配に一般的に平行である方向で自由に膨張または収縮し、前記構造体に対する熱誘導応力を緩和できるように、前記第１の空気処理装置、前記リジェネレータ、および前記コンディショナ内の前記複数の構造体が確保される、付記４２４に記載の乾燥剤空調システム。
＜付記４４３＞
前記第１の空気処理装置、前記リジェネレータ、および前記コンディショナが、前記液体乾燥剤と前記気流との間の各構造体の前記少なくとも１つの表面に近位に位置決めされる材料のシートをさらに備え、材料の前記シートが乾燥剤コレクタの中に前記液体乾燥剤を誘導し、前記液体乾燥剤と前記気流との間の水蒸気の移送を可能にする、付記４２４に記載のシステム。
＜付記４４４＞
前記液体乾燥剤の前記表面張力および材料の前記シートの特性が、前記液体乾燥剤の乾燥剤コレクタへの移送を容易にする、付記４４３に記載の乾燥剤空調システム。
＜付記４４５＞
各構造体で、材料の前記シートの下縁が、液体乾燥剤の圧力上昇を削減するために、前記構造体の下位部に固定して接続されていない、付記４４３に記載の乾燥剤空調システム。
＜付記４４６＞
材料の前記シートが、膜または親水性材料を備える、付記４４３に記載の乾燥剤空調システム。
＜付記４４７＞
材料の前記シートが、疎水性微細孔膜を備える、付記４４３に記載の乾燥剤空調システム。
＜付記４４８＞
材料の前記シートが、疎水性材料の層および親水性材料の層を、前記疎水性材料と前記構造体の前記少なくとも１つの表面との間に備える、付記４４３に記載のシステム。
＜付記４４９＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４４３に記載の乾燥剤空調システム。
＜付記４５０＞
各構造体が、熱伝達流体が、前記熱伝達流体と前記液体乾燥剤または前記気流との間で熱の伝達のために流れることができる内部通路を含む、付記４４９に記載の乾燥剤空調システム。
＜付記４５１＞
60/451各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４４３に記載の乾燥剤空調システム。
＜付記４５２＞
前記複数の構造体が、実質的に垂直向きで配置され、離間される複数のプレートアセンブリを備え、隣接するプレートアセンブリ間での前記気流の流れを可能にする、付記４２４に記載の乾燥剤空調システム。
＜付記４５３＞
各プレートアセンブリが、入り組んだプレートを含む、付記４５２に記載の乾燥剤空調システム。
＜付記４５４＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４２４に記載の乾燥剤空調システム。
＜付記４５５＞
前記構造体を通して、または前記構造体の間を流れる前記気流で乱流を引き起こす前の装置をさらに備える、付記４２４に記載の乾燥剤空調システム。
＜付記４５６＞
各構造体が、熱伝導性プラスチック材料を備える、付記４２４に記載の乾燥剤空調システム。
＜付記４５７＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記４２４に記載の乾燥剤空調システム。
＜付記４５８＞
前記リジェネレータから前記コンディショナに流れる前記液体乾燥剤から、前記コンディショナから前記第１の空気処理装置に流れる前記液体乾燥剤へ熱を伝達するための熱交換器をさらに備える、付記４２４に記載の乾燥剤空調システム。
＜付記４５９＞
前記第１の空気処理装置内の前記暖房システムが、前記システムを操作し、前記熱伝達流体を加熱する際に使用される電力を発電するための太陽光―（ＰＶＴ）モジュールを含む、付記４２４に記載の乾燥剤空調システム。
＜付記４６０＞
気流を除湿するための液体乾燥剤空調システムであって、
液体乾燥剤を使用して前記気流を除湿するための乾燥剤コンディショナと、
前記コンディショナで使用される前記液体乾燥剤を再生するための乾燥剤リジェネレータであって、前記乾燥剤リジェネレータが前記コンディショナから受け取られる液体乾燥剤を加熱するための加熱システムと、空気が流れる第１のフィルタ材と、前記第１のフィルタ材を通って流れる空気が前記加熱された液体乾燥剤から水蒸気を引き出すように、前記第１のフィルタ材上で前記加熱システムによって加熱される液体乾燥剤を計量配分するための機構とを含み、前記液体乾燥剤は前記リジェネレータから、前記乾燥剤コンディショナ内の前記液体乾燥剤を計量配分するための前記機構に流れ、前記加熱システムが、熱伝達流体を加熱するための太陽光―熱（ＰＶＴ）モジュール、および前記熱伝達流体から前記液体乾燥剤へ熱を伝達するための熱交換器を備え、前記ＰＶＴモジュールも前記乾燥剤空調システムを操作する際に使用される電力を発電するための１つまたは複数の太陽電池を含み、前記乾燥剤リジェネレータが、前記空気から前記水蒸気を凝縮し、収集バス内で液状水分を収集するための装置をさらに備える、乾燥剤リジェネレータと、
前記リジェネレータから前記コンディショナに流れる前記液体乾燥剤から、前記コンディショナから前記リジェネレータに流れる前記液体乾燥剤に熱を伝達するための熱交換器と、
を備える、液体乾燥剤空調システム。
＜付記４６１＞
前記水蒸気を凝縮するための前記装置が、前記第１のフィルタ材から受け取られる空気が流れる前記乾燥剤リジェネレータ内の第２のフィルタ材、および前記第２のフィルタ材上で水を計量配分するための機構を備え、前記水が、前記水から、前記乾燥剤コンディショナを出る気流に熱を伝達する熱交換器によって冷却される、付記４６０に記載のシステム。
＜付記４６２＞
前記コンディショナから前記リジェネレータに流れる液体乾燥剤をさらに加熱するためのＰＶＴモジュールをさらに備える、付記４６０に記載のシステム。
＜付記４６３＞
前記加熱システムが、前記熱伝達流体を加熱するための加熱器をさらに備える、付記４６０に記載のシステム。
＜付記４６４＞
除湿される前記気流が、温室効果ガスから受け取られる、付記４６０に記載のシステム。
＜付記４６５＞
前記コンディショナ内で前記液体乾燥剤を計量配分するための前記機構が、１つまたは複数のスプレーヘッドを備える、付記４６０に記載のシステム。
＜付記４６６＞
前記濾過材がセルロース冷却塔充填材を備える、付記４６０に記載のシステム。
＜付記４６７＞
前記液体乾燥剤を使用して前記気流を除湿するための追加の乾燥剤コンディショナをさらに備え、水が前記リジェネレータによって前記液体乾燥剤から除去される、付記４６０に記載のシステム。
＜付記４６８＞
前記コンディショナが、前記気流が通って流れる濾過材、および前記濾過材上で前記液体乾燥剤を計量配分するための機構を含み、前記気流が前記濾過材を通って流れるにつれて、それが、前記気流から水蒸気を吸収する前記液体乾燥剤に露呈される、付記４６０に記載のシステム。
＜付記４６９＞
前記コンディショナが、実質的に垂直向きで配置される複数の構造体を備え、各構造体は、前記液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記４６０に記載のシステム。
＜付記４７０＞
前記コンディショナで使用される前記液体乾燥剤を冷却するための低熱源をさらに備える、付記４６９に記載のシステム。
＜付記４７１＞
前記複数の構造体のそれぞれが、熱伝達流体が通って流れることができる通路を含み、前記熱伝達流体を加熱するための低熱源をさらに備える、付記４６９に記載のシステム。
＜付記４７２＞
前記液体乾燥剤および前記熱伝達流体が、前記コンディショナ内で一般に反対方向で流れる、付記４７１に記載のシステム。
＜付記４７３＞
前記構造体が、前記温度勾配に一般的に平行である方向で自由に膨張または収縮し、前記構造体に対する熱誘導応力を緩和できるように、前記複数の構造体が、前記コンディショナ内で確保される、付記４６９に記載のシステム。
＜付記４７４＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記４６９に記載のシステム。
＜付記４７５＞
前記液体乾燥剤の前記表面張力および材料の前記シートの特性が、前記液体乾燥剤の乾燥剤コレクタへの移送を容易にする、付記４７４に記載のシステム。
＜付記４７６＞
各構造体で、材料の前記シートの下縁が、液体乾燥剤の圧力上昇を削減するために、前記構造体の下位部に固定して接続されていない、付記４７４に記載のシステム。  
＜付記４７７＞
材料の前記シートが、膜または親水性材料を備える、付記４７４に記載のシステム。
＜付記４７８＞
材料の前記シートが、疎水性微細孔膜を備える、付記４７４に記載のシステム。
＜付記４７９＞
材料の前記シートが、疎水性材料の層および親水性材料の層を、前記疎水性材料と前記構造体の前記少なくとも１つの表面との間に備える、付記４７４に記載のシステム。
＜付記４８０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４７４記載のシステム。
＜付記４８１＞
各構造体が、熱伝達流体が、前記熱伝達流体と前記液体乾燥剤または前記気流との間で熱の伝達のために流れることができる内部通路を含む、付記４８０に記載のシステム。
＜付記４８２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４７４に記載のシステム。
＜付記４８３＞
前記複数の構造体が、実質的に垂直向きで配置され、離間される複数のプレートアセンブリを備え、隣接するプレートアセンブリ間での前記気流の流れを可能にする、付記４６９に記載のシステム。
＜付記４８４＞
各プレートアセンブリが、入り組んだプレートを含む、付記４８３に記載のシステム。
＜付記４８５＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４６９に記載のシステム。
＜付記４８６＞
前記コンディショナ内の前記構造体を通って、または前記構造体の間を流れる前記気流で乱流を引き起こすための装置をさらに備える、付記４６９に記載のシステム。
＜付記４８７＞
各構造体が、熱伝導性プラスチック材料を備える、付記４６９に記載のシステム。
＜付記４８８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記４６０に記載の乾燥剤空調システム。
＜付記４８９＞
前記リジェネレータおよび前記コンディショナが物理的に分離され、分割空調システムを形成する、付記４６０に記載の乾燥剤空調システム。
＜付記４９０＞
気流を加熱するための乾燥剤空調システムであって、
（ａ）実質的に垂直向きで配置される複数の構造体を含むコンディショナであって、各構造体は、液体乾燥剤が横切って流れることができる少なくとも１つの表面を有し、各構造体は、液体乾燥剤が、横切って流れることができる少なくとも１つの表面を有し、各構造体は、前記少なくとも１つの表面の下端に、前記構造体の前記少なくとも１つの表面を横切って流れた液体乾燥剤を収集するための乾燥剤コレクタをさらに含む、コンディショナと、
（ｂ）水回収システムであって、
（ｉ）一般に密封されたエンクロージャと、
（ｉｉ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含む、第１の空気処理装置と、
（ｉｉｉ）前記第１の空気処理装置を出る前記気流を受け取る前記エンクロージャ内の第２の空気処理装置であって、前記第２の空気処理装置が構造体の間の、または前記構造体を通る前記気流の流れを可能にするように構成される、実質的に垂直向きで配置される複数の前記構造体を含み、各構造体が、前記気流中の前記水蒸気が凝縮して、液状水分を形成する表面を含む、第２の空気処理装置と、
（ｉｖ）燃焼温泉物質を吸収するための１つまたは複数のフィルタと、
（ｖ）前記第１の空気処理装置と前記第２の空気処理装置との間で空気を循環させるための機構と、
を備える、水回収システムと、
（ｃ）前記コンディショナで使用される前記熱伝達流体を加熱するための加熱システムであって、前記加熱システムが、前記熱伝達流体を加熱するためのガス燃焼器を備え、前記ガス燃焼器が、前記コンディショナを通って流れる前記空気流によって運ばれる燃焼汚染物質を生成し、前記コンディショナ内の前記液体乾燥剤が、燃焼汚染物質を吸収し、前記燃焼汚染物質を、それらが前記１つまたは複数のフィルタによって捕捉できる前記第１の空気処理装置に移送する、加熱システムと、
（ｄ）実質的に垂直向きで配置される複数の構造体を含み、前記構造体の間の、または前記構造体を通る気流の実質的に垂直な流れを可能にするリジェネレータであって、各構造体が、熱伝達流体が通って流れることができる内部通路を有し、各構造体が、液体乾燥剤が前記気流を除湿するように、前記液体乾燥剤が横切って流れることができる外面も含み、各構造体が、前記構造体の下端に、前記構造体の前記外面を横切って流れた液体乾燥剤を収集するための乾燥剤コレクタをさらに含み、前記リジェネレータが前記第２の空気処理装置で活用される熱伝達流体を受け取るように構成される、リジェネレータと、
（ｅ）前記コンディショナと前記第１の空気処理装置との間で、および前記コンディショナと前記リジェネレータとの間で前記液体乾燥剤を循環させるための装置と、
（ｆ）前記リジェネレータと前記第２の空気処理装置との間で前記熱伝達流体を循環させるための装置と、
を備える乾燥剤空調システム。
＜付記４９１＞
前記第２の空気処理装置で生成される液状水分を受け取り、前記コンディショナを出る前記気流を加湿する加湿器をさらに備える、付記４９０に記載のシステム。
＜付記４９２＞
前記液状水分を加熱するため、および前記システムを操作する際に使用される電力を発電するための、前記第２の空気処理装置に接続された太陽光―熱（ＰＶＴ）モジュールをさらに備える、付記４９０に記載のシステム。
＜付記４９３＞
前記コンディショナから前記リジェネレータに流れる前記液体乾燥剤から、前記リジェネレータから前記コンディショナに流れる前記液体乾燥剤に熱を伝達するための熱交換器をさらに備える、付記４９０に記載のシステム。
＜付記４９４＞
前記第２の空気処理装置に進入する前記気流から、前記第１の空気処理装置に進入する前記気流へ熱を伝達するための熱交換器をさらに備える、付記４９０に記載のシステム。
＜付記４９５＞
前記第１の空気処理装置、前記第２の空気処理装置、前記コンディショナ、および前記リジェネレータが、前記液体乾燥剤と前記気流との間のそれぞれの入り組んだプレート構造体の前記外面に近位に位置決めされる材料のシートをさらに備え、材料の前記シートが、乾燥剤コレクタの中に前記液体乾燥剤を誘導し、前記液体乾燥剤から前記気流への水蒸気の移送を可能にする、付記４９０に記載のシステム。
＜付記４９６＞
前記液体乾燥剤の前記表面張力および材料の前記シートの特性が、前記液体乾燥剤の乾燥剤コレクタへの移送を容易にする、付記４９５に記載のシステム。
＜付記４９７＞
各波状プレートアセンブリで、材料の前記シートの下縁が、液体乾燥剤の圧力上昇を削減するために、前記構造体の下位部に固定して接続されていない、付記４９５に記載のシステム。
＜付記４９８＞
材料の前記シートが、膜または親水性材料を備える、付記４９５に記載のシステム。
＜付記４９９＞
材料の前記シートが、疎水性微細孔膜を備える、付記４９５に記載のシステム。
＜付記５００＞
材料の前記シートが、疎水性材料の層および親水性材料の層を、前記疎水性材料と前記構造体の前記少なくとも１つの表面との間に備える、付記４９５に記載の乾燥剤空調システム。
＜付記５０１＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４９５に記載の乾燥剤空調システム。
＜付記５０２＞
各構造体が、熱伝達流体が、前記熱伝達流体と前記液体乾燥剤または前記気流との間で熱の伝達のために流れることができる内部通路を含む、付記５０１に記載の乾燥剤空調システム。
＜付記５０３＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４９４に記載の乾燥剤空調システム。
＜付記５０４＞
前記複数の構造体が、実質的に垂直向きで配置され、離間される複数のプレートアセンブリを備え、隣接するプレートアセンブリ間での前記気流の流れを可能にする、付記４９０に記載の乾燥剤空調システム。
＜付記５０５＞
各プレートアセンブリが、入り組んだプレートを含む、付記５０４に記載の乾燥剤空調システム。
＜付記５０６＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４９０に記載の乾燥剤空調システム。
＜付記５０７＞
前記コンディショナ内の前記構造体を通って、または前記構造体の間を流れる前記気流で乱流を引き起こすための装置をさらに備える、付記４９０に記載の乾燥剤空調システム。
＜付記５０８＞
各構造体が、熱伝導性プラスチック材料を備える、付記４９０に記載の乾燥剤空調システム。
＜付記５０９＞
前記第１の空気処理装置から前記コンディショナに流れる前記液体乾燥剤から、前記コンディショナから前記第１の空気処理装置に流れる前記液体乾燥剤に熱を伝達するための熱交換器をさらに備える、付記４９０に記載のシステム。
＜付記５１０＞
前記システムを操作し、前記コンディショナ内で使用される前記熱伝達流体を加熱する際に使用される電力を生成するための太陽光―（ＰＶＴ）モジュールをさらに備える、付記４９０に記載のシステム。
＜付記５１１＞
前記システムを操作し、前記コンディショナ内で使用される前記液体乾燥剤を加熱する際に使用される電力を生成するための太陽光―（ＰＶＴ）モジュールをさらに備える、付記４９０に記載のシステム。
＜付記５１２＞
分離器をさらに備え、前記分離器が前記コンディショナで使用される液体乾燥剤を保管するためのタンクを含み、前記液体乾燥剤が、前記タンクの前記高さに沿って濃度が変化し、前記分離器が前記リジェネレータへ高い乾燥剤濃度を有する液体乾燥剤を移送し、前記コンディショナにより低い乾燥剤濃度を有する液体乾燥剤を移送するように構成され、前記リジェネレータで処理される液体乾燥剤が、前記タンクに移される、付記４９０に記載のシステム。
＜付記５１３＞
前記リジェネレータおよび前記コンディショナが物理的に分離され、分割空調システムを形成する、付記４９０に記載のシステム。
＜付記５１４＞
塩分除去システムであって、
（ａ）それぞれが流動床によって隣接するチャンネルから分離される、複数のチャンネルを備える液体乾燥剤を希釈するための装置であって、前記装置が、１つまたは複数のチャンネルで海水、および１つまたは複数の他のチャンネルで液体乾燥剤を受け取り、したがって前記海水および液体乾燥剤が前記チャンネルを通って流れるように構成され、前記液体乾燥剤が、１つまたは複数の流動床を通って前記液体乾燥剤の中に水を引き出し、それによって前記液体乾燥剤を希釈する、装置と、
（ｂ）水回収システムであって、
（ｉ）一般に密封されたエンクロージャと、
（ｉｉ）前記エンクロージャ内の第１の空気処理装置であって、前記第１の空気処理装置が前記装置から前記希釈された液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含む、第１の空気処理装置と、
（ｉｉｉ）前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
（ｉｖ）前記第１の空気処理装置と前記第２の空気処理装置との間で空気を循環させるための機構と、
を備える、水回収システムと、
（ｃ）前記装置と前記第１の空気処理装置との間で前記液体乾燥剤を循環させるための装置と、
を備える塩分除去システム。
＜付記５１５＞
前記１つまたは複数の流動床が、１つまたは複数の微細孔要素を備える、付記５１４に記載のシステム。
＜付記５１６＞
前記１つまたは複数の流動床が、１つまたは複数の膜を備える、付記５１４に記載のシステム。
＜付記５１７＞
空気を循環させるための前記機構が、１つまたは複数のブロワを備える、付記５１４に記載のシステム。
＜付記５１８＞
前記エンクロージャ内部で空気圧を削減するための前記エンクロージャに接続された真空ポンプをさらに備える、付記５１４に記載のシステム。
＜付記５１９＞
前記第２の空気処理装置に進入する前記気流から、前記第１の空気処理装置に進入する前記気流へ熱を伝達するための熱交換器をさらに備える、付記５１４に記載のシステム。
＜付記５２０＞
前記第１の空気処理装置で前記液体乾燥剤を加熱するための熱源をさらに備える、付記５１４に記載のシステム。
＜付記５２１＞
前記第１の空気処理装置内の前記複数の構造体のそれぞれが、熱伝達流体が通って流れることができる通路を含み、前記熱伝達流体を加熱するための熱源をさらに備える、付記５１４に記載のシステム。
＜付記５２２＞
前記液体乾燥剤および前記熱伝達流体が、前記第１の空気処理装置内で一般に反対方向で流れる、付記５２１に記載の乾燥剤空調システム。
＜付記５２３＞
前記構造体が、前記温度勾配に一般的に平行である方向で自由に膨張または収縮し、前記構造体に対する熱誘導応力を緩和できるように、前記第１の空気処理装置内の前記複数の構造体が、前記第１の空気処理装置内で確保される、付記５１４に記載のシステム。
＜付記５２４＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記５１４に記載のシステム。
＜付記５２５＞
前記液体乾燥剤の前記表面張力および材料の前記シートの特性が、前記液体乾燥剤の乾燥剤コレクタへの移送を容易にする、付記５２４に記載のシステム。
＜付記５２６＞
各構造体で、材料の前記シートの下縁が、液体乾燥剤の圧力上昇を削減するために、前記構造体の下位部に固定して接続されていない、付記５２４に記載のシステム。
＜付記５２７＞
材料の前記シートが、膜または親水性材料を備える、付記５２４に記載のシステム。
＜付記５２８＞
材料の前記シートが、疎水性微細孔膜を備える、付記５２４に記載のシステム。
＜付記５２９＞
材料の前記シートが、疎水性材料の層および親水性材料の層を、前記疎水性材料と前記構造体の前記少なくとも１つの表面との間に備える、付記５２４に記載のシステム。
＜付記５３０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記５２４記載のシステム。
＜付記５３１＞
各構造体が、熱伝達流体が、前記熱伝達流体と前記液体乾燥剤または前記気流との間で熱の伝達のために流れることができる内部通路を含む、付記５３０に記載のシステム。
＜付記５３２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記５２４に記載のシステム。
＜付記５３３＞
前記複数の構造体が、実質的に垂直向きで配置され、離間される複数のプレートアセンブリを備え、隣接するプレートアセンブリ間での前記気流の流れを可能にする、付記５１４に記載のシステム。
＜付記５３４＞
各プレートアセンブリが、入り組んだプレートを含む、付記５３３に記載のシステム。
＜付記５３５＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記５１４に記載のシステム。
＜付記５３６＞
前記第１の空気処理装置内の前記構造体を通って、または前記構造体の間を流れる前記気流で乱流を引き起こすための装置をさらに備える、付記５１４に記載のシステム。
＜付記５３７＞
各構造体が、熱伝導性プラスチック材料を備える、付記５１４に記載のシステム。
＜付記５３８＞
前記第２の空気処理装置が、前記構造体の間を、または前記構造体を通して前記気流の流れを可能にするように構成される、実質的に垂直向きで配置される封数の構造体を含み、各構造体が前記気流内の前記水蒸気が凝縮する表面を含む、付記５１４に記載のシステム。
＜付記５３９＞
前記構造体を冷却するための低熱源をさらに備える、付記５３８に記載のシステム。
＜付記５４０＞
前記第２の空気処理装置内の前記複数の構造体のそれぞれが、熱伝達流体が通って流れることができる通路を含み、前記熱伝達流体を冷却するための低熱源をさらに備える、付記５３８に記載のシステム。
＜付記５４１＞
前記構造体が、前記温度勾配に一般的に平行である方向で自由に膨張または収縮し、前記構造体に対する熱誘導応力を緩和できるように、前記複数の構造体が、前記第2の空気処理装置内で確保される、付記５３８に記載のシステム。
＜付記５４２＞
空気を循環させるための前記機構が１つまたは複数のブロワを備える、付記５１４に記載のシステム。
＜付記５４３＞
前記第１の空気処理装置から前記装置に流れる前記液体乾燥剤から、前記装置から前記第１の空気処理装置に流れる前記液体乾燥剤へ熱を伝達するための熱交換器をさらに備える、付記５１４に記載のシステム。
＜付記５４４＞
前記第１の空気処理装置内の前記暖房システムが、前記システムを操作し、前記熱伝達流体を加熱する際に使用される電力を発電するための太陽光―（ＰＶＴ）モジュールを含む、付記５１４に記載のシステム。
＜付記５４５＞
前記システムを操作し、前記第１の空気処理装置に流れる前記液体乾燥剤を加熱する際に使用される電力を発電するための太陽光―光（ＰＶＴ）モジュールをさらに備える、付記５１４に記載のシステム。
＜付記５４６＞
前記システムを操作し、前記装置に流れる前記液体乾燥剤を加熱する際に使用される電力を発電するための太陽光―光（ＰＶＴ）モジュールをさらに備える、付記５１４に記載のシステム。